(57)【特許請求の範囲】
【請求項１】
複数のサービングセルにおいて基地局装置と通信する移動局装置であって、
ある上りリンクサブフレームで送信されるＨＡＲＱに関する情報に対応する下りリンクサブフレームの数と、設定されたサービングセルの数と、各サービングセルにおいて設定された送信モードとに従って、前記ＨＡＲＱに関する情報のビット数を決定する手段と、
前記決定したＨＡＲＱに関する情報のビット数が所定の値を超えていない場合には、前記ＨＡＲＱに関する情報のビット数とスケジューリングリクエストのビット数とに基づいて、第１のコーディング方法または第２のコーディング方法のいずれかを用いて前記ＨＡＲＱに関する情報と前記スケジューリングリクエストとを共にコーディングし、
前記決定したＨＡＲＱに関する情報のビット数が所定の値を超えている場合には、前記ＨＡＲＱに関する情報に空間的なバンドリングを適用し、前記空間的なバンドリングが適用されたＨＡＲＱに関する情報のビット数と前記スケジューリングリクエストのビット数とに基づいて、前記第１のコーディング方法または前記第２のコーディング方法のいずれかを用いて前記ＨＡＲＱに関する情報と前記スケジューリングリクエストとを共にコーディングする手段と、を備えることを特徴とする移動局装置。
【請求項２】
前記第１のコーディング方法は、前記ＨＡＲＱに関する情報のビットと前記スケジューリングリクエストのビットとを連結することによって得られたビット系列をコーディングする方法であり、
前記第２のコーディング方法は、前記ＨＡＲＱに関する情報のビットと前記スケジューリングリクエストのビットとを連結してビット系列を生成し、前記生成されたビット系列を分割することによって得られたビット系列のそれぞれを別々にコーディングする方法であることを特徴とする請求項１に記載の移動局装置。
【請求項３】
前記ＨＡＲＱに関する情報に適用される空間的なバンドリングは、
各サービングセルにおける下りリンクサブフレームのそれぞれにおいて受信した物理下りリンク共用チャネルの第１のコードワードおよび第２のコードワードの各々に対応する前記ＨＡＲＱに関する情報のビットの論理積演算を実行する処理を含むことを特徴とする請求項１または請求項２に記載の移動局装置。
【請求項４】
前記ＨＡＲＱに関する情報は、下りリンクトランスポートブロックに対するＡＣＫまたはＮＡＣＫを示す情報であることを特徴とする請求項１から請求項３のいずれかに記載の移動局装置。
【請求項５】
複数のサービングセルにおいて基地局装置と通信する移動局装置の処理方法であって、
ある上りリンクサブフレームで送信されるＨＡＲＱに関する情報に対応する下りリンクサブフレームの数と、設定されたサービングセルの数と、各サービングセルにおいて設定された送信モードとに従って、前記ＨＡＲＱに関する情報のビット数を決定し、
前記決定したＨＡＲＱに関する情報のビット数が所定の値を超えていない場合には、前記ＨＡＲＱに関する情報のビット数とスケジューリングリクエストのビット数とに基づいて、第１のコーディング方法または第２のコーディング方法のいずれかを用いて前記ＨＡＲＱに関する情報と前記スケジューリングリクエストとを共にコーディングし、
前記決定したＨＡＲＱに関する情報のビット数が所定の値を超えている場合には、前記ＨＡＲＱに関する情報に空間的なバンドリングを適用し、前記空間的なバンドリングが適用されたＨＡＲＱに関する情報のビット数と前記スケジューリングリクエストのビット数とに基づいて、前記第１のコーディング方法または前記第２のコーディング方法のいずれかを用いて前記ＨＡＲＱに関する情報と前記スケジューリングリクエストとを共にコーディングすることを特徴とする処理方法。
【請求項６】
前記第１のコーディング方法は、前記ＨＡＲＱに関する情報のビットと前記スケジューリングリクエストのビットとを連結することによって得られたビット系列をコーディングする方法であり、
前記第２のコーディング方法は、前記ＨＡＲＱに関する情報のビットと前記スケジューリングリクエストのビットとを連結してビット系列を生成し、前記生成されたビット系列を分割することによって得られたビット系列のそれぞれを別々にコーディングする方法であることを特徴とする請求項５に記載の処理方法。
【請求項７】
前記ＨＡＲＱに関する情報に適用される空間的なバンドリングは、
各サービングセルにおける下りリンクサブフレームのそれぞれにおいて受信した物理下りリンク共用チャネルの第１のコードワードおよび第２のコードワードの各々に対応する前記ＨＡＲＱに関する情報のビットの論理積演算を実行する処理を含むことを特徴とする請求項５または請求項６に記載の処理方法。
【請求項８】
前記ＨＡＲＱに関する情報は、下りリンクトランスポートブロックに対するＡＣＫまたはＮＡＣＫを示す情報であることを特徴とする請求項５から請求項７のいずれかに記載の処理方法。
【請求項９】
複数のサービングセルにおいて基地局装置と通信する移動局装置に搭載される集積回路であって、
ある上りリンクサブフレームで送信されるＨＡＲＱに関する情報に対応する下りリンクサブフレームの数と、設定されたサービングセルの数と、各サービングセルにおいて設定された送信モードとに従って、前記ＨＡＲＱに関する情報のビット数を決定する機能と、
前記決定したＨＡＲＱに関する情報のビット数が所定の値を超えていない場合には、前記ＨＡＲＱに関する情報のビット数とスケジューリングリクエストのビット数とに基づいて、第１のコーディング方法または第２のコーディング方法のいずれかを用いて前記ＨＡＲＱに関する情報と前記スケジューリングリクエストとを共にコーディングし、
前記決定したＨＡＲＱに関する情報のビット数が所定の値を超えている場合には、前記ＨＡＲＱに関する情報に空間的なバンドリングを適用し、前記空間的なバンドリングが適用されたＨＡＲＱに関する情報のビット数と前記スケジューリングリクエストのビット数とに基づいて、前記第１のコーディング方法または前記第２のコーディング方法のいずれかを用いて前記ＨＡＲＱに関する情報と前記スケジューリングリクエストとを共にコーディングする機能と、を前記移動局装置へ発揮させることを特徴とする集積回路。
【請求項１０】
前記第１のコーディング方法は、前記ＨＡＲＱに関する情報のビットと前記スケジューリングリクエストのビットとを連結することによって得られたビット系列をコーディングする方法であり、
前記第２のコーディング方法は、前記ＨＡＲＱに関する情報のビットと前記スケジューリングリクエストのビットとを連結してビット系列を生成し、前記生成されたビット系列を分割することによって得られたビット系列のそれぞれを別々にコーディングする方法であることを特徴とする請求項９に記載の集積回路。
【請求項１１】
前記ＨＡＲＱに関する情報に適用される空間的なバンドリングは、
各サービングセルにおける下りリンクサブフレームのそれぞれにおいて受信した物理下りリンク共用チャネルの第１のコードワードおよび第２のコードワードの各々に対応する前記ＨＡＲＱに関する情報のビットの論理積演算を実行する処理を含むことを特徴とする請求項９または請求項１０に記載の集積回路。
【請求項１２】
前記ＨＡＲＱに関する情報は、下りリンクトランスポートブロックに対するＡＣＫまたはＮＡＣＫを示す情報であることを特徴とする請求項９から請求項１１のいずれかに記載の集積回路。
【発明の詳細な説明】
【技術分野】
【０００１】
本発明は、移動局装置、処理方法および集積回路に関する。
【背景技術】
【０００２】
３ＧＰＰ（3rd Generation Partnership Project）は、Ｗ−ＣＤＭＡ（Wideband-Code Division Multiple Access）と、ＧＳＭ（登録商標）（Global System for Mobile Communications）とを発展させたネットワークを基本とした移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、LTE（Long Term Evolution）またはEUTRA（Evolved Universal Terrestrial Radio Access））、および、より広帯域な周波数帯域を利用して、さらに高速なデータの送受信を実現する移動通信システム（以下、LTE-A（Long Term Evolution-Advanced）またはＡｄｖａｎｃｅｄ−ＥＵＴＲＡ）に関する検討が進められている。
【０００３】
ここで、ＬＴＥ−Ａにおける通信方式としては、下りリンクでは、マルチキャリア通信方式であるＯＦＤＭＡ方式が、上りリンクでは、シングルキャリア通信方式であるＳＣ−ＦＤＭＡ方式およびＤＦＴ−ｐｒｅｃｏｄｅｄＯＦＤＭ（DFT-s-OFDM with Spectrum Division Control、Clustered-Single Carrier-Frequency Division Multiple Access）方式を導入することが検討されている。
【０００４】
また、ＬＴＥ−Ａでは、ＬＴＥと同一のチャネル構造を持つ連続および／または不連続な複数の周波数帯域（キャリアとも呼称できる）（以下、セル（Cell）またはコンポーネントキャリア（CC：Component Carrier））を複合的に使用して、１つの広帯域な周波数帯として運用する（セル集約：Cell aggregationまたはキャリア集約：Carrier aggregation）ことが提案されている（非特許文献1）。
【０００５】
ここで、移動局装置は、物理下りリンク共用チャネル（以下、PDSCH：Physical Downlink Shared Channel）を使用して受信した下りリンクトランスポートブロック（Downlink TB：Downlink Transport Block、以下、トランスポートブロックとも記載する）の復号に成功したか否かを示すＨＡＲＱ（ハイブリッド自動再送要求：Hybrid Automatic Repeat Request）のＡＣＫ／ＮＡＣＫ（肯定応答：Positive Acknowledgement／否定応答：Negative Acknowledgement、ACK信号またはNACK信号）を示す情報を、物理上りリンク制御チャネル（以下、PUCCH：Physical Uplink Control Channel）または物理上りリンク共用チャネル（以下、PUSCH：Physical Uplink Shared Channel）を使用して、基地局装置へ送信する。
【０００６】
また、ＬＴＥ−Ａでは、基地局装置が、ＭＩＭＯ ＳＭ（Multiple Input Multiple Output Spatial Multiplexing）を適用して、下りリンクトランスポートブロックを移動局装置へ送信することが提案されている（非特許文献2）。ＭＩＭＯ ＳＭとは、複数の送信アンテナポートおよび複数の受信アンテナポートによって実現される複数の空間次元のチャネルに対して複数の信号が多重されて送受信が行なわれる技術である。ここで、アンテナポートとは信号処理に用いられる論理的なアンテナのことを示し、１つのアンテナポートは１つの物理的なアンテナによって構成されてもよいし、複数の物理的なアンテナによって構成されてもよい。また、１つの送信アンテナポートは１つの参照信号と対応されてもよい。
【０００７】
例えば、基地局装置は、ＰＤＳＣＨにＭＩＭＯ ＳＭを適用して、複数のトランスポートブロックを移動局装置へ送信する。すなわち、基地局装置は、ＰＤＳＣＨにＭＩＭＯＳＭを適用して、複数の（例えば、2つまでの）トランスポートブロックを移動局装置へ送信することが可能である。また、例えば、基地局装置は、ＰＤＳＣＨにＭＩＭＯ ＳＭを適用して、２つまでのコードワード（CW：Code Word）で移動局装置へ送信することが可能である。移動局装置は、基地局装置から送信されたトランスポートブロックに対するＡＣＫ／ＮＡＣＫを示す情報（HARQに関する情報、コードワードに対応するACK/NACKを示す情報でも良い）をＰＵＣＣＨまたはＰＵＳＣＨを使用して送信する。
【０００８】
さらに、ＬＴＥ−Ａでは、移動局装置が、ＡＣＫ／ＮＡＣＫを示す情報を基地局装置へ送信する際に、ＡＣＫ／ＮＡＣＫを示す情報に対してリードマラー（以下、RM：Reed-Muller）コーディングを施すことが提案されている。例えば、移動局装置は、ＡＣＫ／ＮＡＣＫを示す情報を基地局装置へ送信する際のコーディング方法（Coding scheme）として、ＡＣＫ／ＮＡＣＫを示す情報に対して２重のＲＭコーディング（以下、DRMC：Double RM Coding、Double RM Code、Dual RM Coding、Dual RM Code、2つのRMコードを利用したコーディング方法）を適用することが提案されている（非特許文献3）。ここで、ＬＴＥ−Ａでは、ＴＤＤ（Time Division Duplex）とＦＤＤ（Frequency Division Duplex）がサポートされる。
【先行技術文献】
【非特許文献】
【０００９】
【非特許文献１】"Carrier aggregation in LTE-Advanced", 3GPP TSG RAN WG1 Meeting #53bis, R1-082468, June 30-July 4, 2008.
【非特許文献２】"3GPP TR36.814 v9.0.0 (2010-03)", March 30, 2010.
【非特許文献３】"A/N coding schemes for large payload using DFT-S-OFDM", 3GPP TSG RAN WG1 Meeting #62bis, R1-105247, October 11-15, 2010.
【発明の概要】
【発明が解決しようとする課題】
【００１０】
しかしながら、従来の技術では、移動局装置が、ＡＣＫ／ＮＡＣＫを示す情報とＡＣＫ／ＮＡＣＫを示す情報以外の上りリンク制御情報（例えば、スケジューリングリクエスト（SR：Scheduling Request）やチャネル状態情報（CSI：Channel State Information）、以下、第1の制御情報とも記載する）をともにコーディングする際に、ＤＲＭＣを利用したコーディング方法と単一のＲＭコーディング（以下、SRMC：Single RM Coding、Single RM Code、1つのRMコードを利用したコーディング方法）を利用したコーディング方法を、どのように切り替えるかの具体的な記載がなかった。
【００１１】
本発明は、このような事情に鑑みてなされたものであり、移動局装置が、ＡＣＫ／ＮＡＣＫを示す情報と第１の上りリンク制御情報をともにコーディングする際に、ＤＲＭＣを利用したコーディング方法とＳＲＭＣを利用したコーディング方法を効率的に切り替えることができる移動局装置、処理方法および集積回路を提供することを目的とする。
【課題を解決するための手段】
【００１２】
（１）上記の目的を達成するために、本発明は、以下のような手段を講じた。すなわち、本発明の移動局装置は、複数のサービングセルにおいて基地局装置と通信する移動局装置であって、ある上りリンクサブフレームで送信されるＨＡＲＱに関する情報に対応する下りリンクサブフレームの数と、設定されたサービングセルの数と、各サービングセルにおいて設定された送信モードとに従って、前記ＨＡＲＱに関する情報のビット数を決定する手段と、前記決定したＨＡＲＱに関する情報のビット数が所定の値を超えていない場合には、前記ＨＡＲＱに関する情報のビット数とスケジューリングリクエストのビット数とに基づいて、第１のコーディング方法または第２のコーディング方法のいずれかを用いて前記ＨＡＲＱに関する情報と前記スケジューリングリクエストとを共にコーディングし、前記決定したＨＡＲＱに関する情報のビット数が所定の値を超えている場合には、前記ＨＡＲＱに関する情報に空間的なバンドリングを適用し、前記空間的なバンドリングが適用されたＨＡＲＱに関する情報のビット数と前記スケジューリングリクエストのビット数とに基づいて、前記第１のコーディング方法または前記第２のコーディング方法のいずれかを用いて前記ＨＡＲＱに関する情報と前記スケジューリングリクエストとを共にコーディングする手段と、を備えることを特徴としている。
【００１３】
（２）また、前記第１のコーディング方法は、前記ＨＡＲＱに関する情報のビットと前記スケジューリングリクエストのビットとを連結することによって得られたビット系列をコーディングする方法であり、前記第２のコーディング方法は、前記ＨＡＲＱに関する情報のビットと前記スケジューリングリクエストのビットとを連結してビット系列を生成し、前記生成されたビット系列を分割することによって得られたビット系列のそれぞれを別々にコーディングする方法であることを特徴としている。
【００１４】
（３）また、前記ＨＡＲＱに関する情報に適用される空間的なバンドリングは、各サービングセルにおける下りリンクサブフレームのそれぞれにおいて受信した物理下りリンク共用チャネルの第１のコードワードおよび第２のコードワードの各々に対応する前記ＨＡＲＱに関する情報のビットの論理積演算を実行する処理を含むことを特徴としている。
【００１５】
（４）また、前記ＨＡＲＱに関する情報は、下りリンクトランスポートブロックに対するＡＣＫまたはＮＡＣＫを示す情報であることを特徴としている。
【００１６】
（５）また、複数のサービングセルにおいて基地局装置と通信する移動局装置の処理方法であって、ある上りリンクサブフレームで送信されるＨＡＲＱに関する情報に対応する下りリンクサブフレームの数と、設定されたサービングセルの数と、各サービングセルにおいて設定された送信モードとに従って、前記ＨＡＲＱに関する情報のビット数を決定し、前記決定したＨＡＲＱに関する情報のビット数が所定の値を超えていない場合には、前記ＨＡＲＱに関する情報のビット数とスケジューリングリクエストのビット数とに基づいて、第１のコーディング方法または第２のコーディング方法のいずれかを用いて前記ＨＡＲＱに関する情報と前記スケジューリングリクエストとを共にコーディングし、前記決定したＨＡＲＱに関する情報のビット数が所定の値を超えている場合には、前記ＨＡＲＱに関する情報に空間的なバンドリングを適用し、前記空間的なバンドリングが適用されたＨＡＲＱに関する情報のビット数と前記スケジューリングリクエストのビット数とに基づいて、前記第１のコーディング方法または前記第２のコーディング方法のいずれかを用いて前記ＨＡＲＱに関する情報と前記スケジューリングリクエストとを共にコーディングすることを特徴としている。
【００１７】
（６）また、前記第１のコーディング方法は、前記ＨＡＲＱに関する情報のビットと前記スケジューリングリクエストのビットとを連結することによって得られたビット系列をコーディングする方法であり、前記第２のコーディング方法は、前記ＨＡＲＱに関する情報のビットと前記スケジューリングリクエストのビットとを連結してビット系列を生成し、前記生成されたビット系列を分割することによって得られたビット系列のそれぞれを別々にコーディングする方法であることを特徴としている。
【００１８】
（７）また、前記ＨＡＲＱに関する情報に適用される空間的なバンドリングは、各サービングセルにおける下りリンクサブフレームのそれぞれにおいて受信した物理下りリンク共用チャネルの第１のコードワードおよび第２のコードワードの各々に対応する前記ＨＡＲＱに関する情報のビットの論理積演算を実行する処理を含むことを特徴としている。
【００１９】
（８）また、前記ＨＡＲＱに関する情報は、下りリンクトランスポートブロックに対するＡＣＫまたはＮＡＣＫを示す情報であることを特徴としている。
【００２０】
（９）また、複数のサービングセルにおいて基地局装置と通信する移動局装置に搭載される集積回路であって、ある上りリンクサブフレームで送信されるＨＡＲＱに関する情報に対応する下りリンクサブフレームの数と、設定されたサービングセルの数と、各サービングセルにおいて設定された送信モードとに従って、前記ＨＡＲＱに関する情報のビット数を決定する機能と、前記決定したＨＡＲＱに関する情報のビット数が所定の値を超えていない場合には、前記ＨＡＲＱに関する情報のビット数とスケジューリングリクエストのビット数とに基づいて、第１のコーディング方法または第２のコーディング方法のいずれかを用いて前記ＨＡＲＱに関する情報と前記スケジューリングリクエストとを共にコーディングし、前記決定したＨＡＲＱに関する情報のビット数が所定の値を超えている場合には、前記ＨＡＲＱに関する情報に空間的なバンドリングを適用し、前記空間的なバンドリングが適用されたＨＡＲＱに関する情報のビット数と前記スケジューリングリクエストのビット数とに基づいて、前記第１のコーディング方法または前記第２のコーディング方法のいずれかを用いて前記ＨＡＲＱに関する情報と前記スケジューリングリクエストとを共にコーディングする機能と、を前記移動局装置へ発揮させることを特徴とする。
【００２１】
（１０）また、前記第１のコーディング方法は、前記ＨＡＲＱに関する情報のビットと前記スケジューリングリクエストのビットとを連結することによって得られたビット系列をコーディングする方法であり、前記第２のコーディング方法は、前記ＨＡＲＱに関する情報のビットと前記スケジューリングリクエストのビットとを連結してビット系列を生成し、前記生成されたビット系列を分割することによって得られたビット系列のそれぞれを別々にコーディングする方法であることを特徴としている。
【００２２】
（１１）また、前記ＨＡＲＱに関する情報に適用される空間的なバンドリングは、各サービングセルにおける下りリンクサブフレームのそれぞれにおいて受信した物理下りリンク共用チャネルの第１のコードワードおよび第２のコードワードの各々に対応する前記ＨＡＲＱに関する情報のビットの論理積演算を実行する処理を含むことを特徴としている。
【００２３】
（１２）また、前記ＨＡＲＱに関する情報は、下りリンクトランスポートブロックに対するＡＣＫまたはＮＡＣＫを示す情報であることを特徴としている。
【発明の効果】
【００２４】
移動局装置が、ＡＣＫ／ＮＡＣＫを示す情報と第１の上りリンク制御情報をともにコーディングする際に、デュアルリードマラーコードを利用したコーディング方法とシングルリードマラーコードを利用したコーディング方法を効率的に切り替えることができる移動局装置、通信方法および集積回路を提供する。
【図面の簡単な説明】
【００２５】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】本発明の実施形態が適用可能な移動通信システムの例を示す図である。
【図５Ａ】シングルリードマラーコードを利用したコーディング方法を説明する図である。
【図５Ｂ】シングルリードマラーコードを利用したコーディング方法を説明する図である。
【図６】リードマラーコードのコードワードの一例を示す図である。
【図７Ａ】デュアルリードマラーコードを利用したコーディング方法を説明する図である。
【図７Ｂ】デュアルリードマラーコードを利用したコーディング方法を説明する図である。
【図８】第１の実施形態を説明する図である。
【発明を実施するための形態】
【００２６】
次に、本発明に係る実施形態について、図面を参照しながら説明する。図１は、本発明の実施形態におけるチャネルの一構成例を示す図である。下りリンクの物理チャネルは、物理下りリンク制御チャネル（PDCCH：Physical Downlink Control Channel）、物理下りリンク共用チャネル（PDSCH：Physical Downlink Shared Channel）などによって構成される。上りリンクの物理チャネルは、物理上りリンク共用チャネル（PUSCH：Physical Uplink Shared Channel）、物理上りリンク制御チャネル（PUCCH：Physical Uplink Control Channel）などによって構成される。
【００２７】
ＰＤＣＣＨは、ＰＤＳＣＨのリソース割り当て、下りリンクデータに対するＨＡＲＱ処理情報、ＰＵＳＣＨのリソース割り当てなどを、移動局装置２００−１〜２００−３（移動局装置200-1〜200-3を合わせて、移動局装置200とも表す）に通知（指定）するために使用されるチャネルである。
【００２８】
移動局装置２００は、自装置宛のＰＤＣＣＨに、ＰＤＳＣＨのリソース割り当てが含まれる場合、基地局装置１００からのＰＤＣＣＨによって指示されたリソース割り当てに応じて、ＰＤＳＣＨを使用して、下りリンク信号（下りリンクデータ（下りリンク共用チャネル（DL-SCH）に対するトランスポートブロック）および／または下りリンク制御データ（下りリンク制御情報））を受信する。すなわち、このＰＤＣＣＨは、下りリンクに対するリソース割り当てを行なう信号（下りリンクグラント（Downlink grant）または下りリンクアサインメント（Downlink assignment））とも言える。
【００２９】
また、移動局装置２００は、自装置宛のＰＤＣＣＨに、ＰＵＳＣＨのリソース割り当てが含まれる場合、基地局装置１００からのＰＤＣＣＨによって指示されたリソース割り当てに応じて、ＰＵＳＣＨを使用して、上りリンク信号（上りリンクデータ（上りリンク共用チャネル（UL-SCH）に対するトランスポートブロック）および／または上りリンク制御データ（上りリンク制御情報））を送信する。すなわち、このＰＤＣＣＨは、上りリンクに対するデータ送信を許可する信号（上りリンクグラント（Uplink grant）または上りリンクアサインメント（Uplink assignment））とも言える。
【００３０】
ＰＤＣＣＨは、下りリンクアサインメントや上りリンクアサインメントなどの下りリンク制御情報（DCI：Downlink Control Information）を送信するために用いられる。下りリンクアサインメントは、基地局装置１００が、移動局装置２００へ送信するＰＤＳＣＨのリソースを割り当てる情報などが含まれる。また、上りリンクアサインメントは、移動局装置２００が、基地局装置１００へ送信するＰＵＳＣＨのリソースを割り当てる情報などが含まれる。１つの下りリンクアサインメントは、あるセルの１つのＰＤＳＣＨのリソースを割り当てる情報を含み、また、１つの上りリンクアサインメントは、あるセルの１つのＰＵＳＣＨのリソースを割り当てる情報を含む。
【００３１】
ここで、下りリンク制御情報には複数の下りリンク制御情報フォーマット（DCIフォーマット）が用意され、異なるＤＣＩフォーマットは異なる目的のために用いられる。例えば、ＤＣＩフォーマットは、ＤＣＩフォーマットにマップされる複数のフィールドのサイズおよび順番、フィールドにマップされる情報の種類などによって定義される。
【００３２】
例えば、下りリンクアサインメントとして用いられるＤＣＩフォーマットとして、ＰＤＳＣＨが、基地局装置１００によってシングルアンテナポートで送信される（例えば、1つのPDSCHコードワード（1つのトランスポートブロック）が送信される）場合に使用されるＤＣＩフォーマット１／１Ａが定義される。また、例えば、下りリンクアサインメントとして用いられるＤＣＩフォーマットとして、ＰＤＳＣＨが、基地局装置１００によってマルチアンテナポートで送信される（例えば、2つまでのPDSCHコードワード（2つまでのトランスポートブロック）が送信される）場合に使用されるＤＣＩフォーマット２が定義される。
【００３３】
ＰＤＳＣＨは、下りリンクデータ（下りリンク共用チャネル（DL-SCH）に対するトランスポートブロック）またはページング情報（ページングチャネル：PCH）を送信するために使用されるチャネルである。基地局装置１００は、ＰＤＣＣＨによって割り当てたＰＤＳＣＨを使用して、下りリンクトランスポートブロック（下りリンク共用チャネル（DL-SCH）に対するトランスポートブロック）を移動局装置２００へ送信する。
【００３４】
ここで、下りリンクデータとは、例えば、ユーザーデータを示しており、ＤＬ−ＳＣＨは、トランスポートチャネルである。また、下りリンクデータ（DL-SCH）をＰＤＳＣＨで送信する単位は、トランスポートブロック（TB：Transport Block）と呼称され、トランスポートブロックは、ＭＡＣ（Media Access Control）層で取り扱われる単位である。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００３５】
ここで、トランスポートブロックは、物理層において、コードワード（CW：Code Word）に対応付けられる。例えば、基地局装置１００は、ＰＤＳＣＨにＭＩＭＯＳＭを適用して、２つまでのコードワードで送信することができる。
【００３６】
ＰＵＳＣＨは、主に、上りリンクデータ（上りリンク共用チャネル（UL-SCH）に対するトランスポートブロック）を送信するために使用されるチャネルである。移動局装置２００は、基地局装置１００から送信されたＰＤＣＣＨによって割り当てられたＰＵＳＣＨを使用して、上りリンクトランスポートブロック（上りリンク共用チャネル（UL-SCH）に対するトランスポートブロック）を基地局装置１００へ送信する。
【００３７】
また、基地局装置１００が、移動局装置２００をスケジューリングした場合には、上りリンク制御情報（UCI：Uplink Control Information）はＰＵＳＣＨを使用して送信される。ここで、上りリンク制御情報には、チャネル状態情報（CSI：Channel State Information）や、チャネル品質識別子（CQI：Channel Quality Indicator）や、プレコーディングマトリックス識別子（PMI：Precoding Matrix Indicator）や、ランク識別子（RI：Rank Indicator）が含まれる。また、上りリンク制御情報には、下りリンクトランスポートブロック（DL-SCH）に対するＨＡＲＱにおけるＡＣＫ／ＮＡＣＫを示す情報が含まれる。また、上りリンク制御情報には、移動局装置２００が上りリンクデータを送信するためのリソースの割り当てを要求する（UL-SCHでの送信を要求する）スケジューリングリクエスト（SR：Scheduling Request）が含まれる。
【００３８】
すなわち、チャネル状態情報（CSI）や、チャネル品質識別子（CQI）や、プレコーディングマトリックス識別子（PMI）や、ランク識別子（RI）や、スケジューリングリクエスト（SR）は、ＡＣＫ／ＮＡＣＫを示す情報以外の上りリンク制御情報（第1の制御情報）である。
【００３９】
ここで、上りリンクデータとは、例えば、ユーザーデータを示しており、ＵＬ−ＳＣＨは、トランスポートチャネルである。また、上りリンクデータ（UL-SCH）をＰＵＳＣＨで送信する単位は、トランスポートブロック（TB：Transport Block）と呼称され、トランスポートブロックは、ＭＡＣ（Media Access Control）層で取り扱われる単位である。また、ＰＵＳＣＨおよびＰＵＣＣＨは、時間領域、周波数領域によって定義される（構成される）物理チャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００４０】
また、上りリンクデータ（UL-SCH）および下りリンクデータ（DL-SCH）には、基地局装置１００と移動局装置２００の間でやり取りされる無線資源制御信号（以下、RRCシグナリング：Radio Resource Control Signaling）が含まれていても良い。また、上りリンクデータ（UL-SCH）および下りリンクデータ（DL-SCH）には、基地局装置１００と移動局装置２００の間でやり取りされるＭＡＣ（Medium Access Control）コントロールエレメントが含まれていても良い。
【００４１】
基地局装置１００と移動局装置２００は、上位層（無線リソース制御（Radio Resource Control）層）においてＲＲＣシグナリングを送受信する。また、基地局装置１００と移動局装置２００は、上位層（媒体アクセス制御（MAC：Medium Access Control）層）においてＭＡＣコントロールエレメントを送受信する。
【００４２】
ＰＵＣＣＨは、上りリンク制御情報を送信するために使用されるチャネルである。ここで、上りリンク制御情報には、チャネル状態情報（CSI）や、チャネル品質識別子（CQI）や、プレコーディングマトリックス識別子（PMI）や、ランク識別子（RI）が含まれる。また、上りリンク制御情報には、下りリンクトランスポートブロック（DL-SCH）に対するＨＡＲＱにおけるＡＣＫ／ＮＡＣＫを示す情報が含まれる。また、上りリンク制御情報には、移動局装置２００が上りリンクデータを送信するためのリソースの割り当てを要求する（UL-SCHでの送信を要求する）スケジューリングリクエスト（SR）が含まれる。
【００４３】
［基地局装置１００の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００４４】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００４５】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００４６】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化（コーディング）、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００４７】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００４８】
スケジューリング部１０４は、媒体アクセス制御（MAC：Medium Access Control）層の処理を行なう。スケジューリング部１０４は、論理チャネルとトランスポートチャネルのマッピング、下りリンクおよび上りリンクのスケジューリング（HARQ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００４９】
スケジューリング部１０４は、下りリンクのスケジューリングでは、移動局装置２００から受信した上りリンク制御情報（CSI、CQI、ACK/NACKを示す情報、スケジューリングリクエストなど）や、各移動局装置２００の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００５０】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００５１】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００５２】
チャネル推定部１０５は、上りリンクデータの復調のために、上りリンク復調用参照信号（UDRS：Uplink Demodulation Reference Signal）から上りリンクのチャネル状態を推定し、その推定結果を受信データ復調部１０６に出力する。また、上りリンクのスケジューリングを行なうために、上りリンク測定用参照信号（SRS：Sounding Reference Signal）から上りリンクのチャネル状態を推定し、その推定結果をスケジューリング部１０４に出力する。
【００５３】
受信データ復調部１０６は、ＯＦＤＭ方式および／またはＳＣ−ＦＤＭＡ方式に変調された受信データを復調するＯＦＤＭ復調部および／またはＤＦＴ−Ｓｐｒｅａｄ−ＯＦＤＭ（DFT-S-OFDM）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００５４】
データ抽出部１０７は、受信データ復調部１０６から入力されたデータに対して、正誤を確認するとともに、確認結果（ACKまたはNACK）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＡＣＫ／ＮＡＣＫを示す情報や、スケジューリングリクエストなどが含まれている。
【００５５】
上位層１０８は、パケットデータ統合プロトコル（PDCP：Packet Data Convergence Protocol）層、無線リンク制御（RLC：Radio Link Control）層、無線リソース制御（RRC：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００５６】
上位層１０８は、無線リソース制御部１１０（制御部とも言う）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（UEID）の管理などを行なっている。上位層１０８は、別の基地局装置１００への情報および上位ノードへの情報の授受を行なう。
【００５７】
［移動局装置２００の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００５８】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００５９】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００６０】
送信データ変調部２０２は、送信データをＯＦＤＭ方式および／またはＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００６１】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００６２】
スケジューリング部２０４は、媒体アクセス制御（MAC：Medium Access Control）層の処理を行なう。スケジューリング部２０４は、論理チャネルとトランスポートチャネルのマッピング、下りリンクおよび上りリンクのスケジューリング（HARQ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００６３】
スケジューリング部２０４は、下りリンクのスケジューリングでは、基地局装置１００や上位層２０８からのスケジューリング情報（トランスポートフォーマットやHARQ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００６４】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやHARQ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００６５】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、ＣＱＩや、ＰＭＩや、ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００６６】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態（無線伝搬路状態、CSI、CQIなど）の推定結果を通知するために、下りリンク参照信号から下りリンクのチャネル状態を推定し、この推定結果を、例えば、ＣＳＩや、ＣＱＩとして、スケジューリング部２０４に出力する。
【００６７】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００６８】
データ抽出部２０７は、受信データ復調部２０６から入力されたデータに対して、ＣＲＣチェックを行ない、正誤を確認するとともに、確認結果（ACKまたはNACKを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００６９】
上位層２０８は、パケットデータ統合プロトコル（PDCP：Packet Data Convergence Protocol）層、無線リンク制御（RLC：Radio Link Control）層、無線リソース制御（RRC：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７０】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（UEID）の管理を行なう。
【００７１】
［セル集約（キャリア集約）について］
図４は、セル集約（または、キャリア集約）をサポートする移動通信システムにおける基地局装置１００と移動局装置２００の処理の一例を示す図である。本発明における移動通信システムにおいて、セル集約は、上りリンクと下りリンクでサポートされ（例えば、上りリンクと下りリンクで５つまでのセル（または、コンポーネントキャリア）がサポートされ）、各セルは１１０リソースブロックまでの送信帯域幅（transmission bandwidth、LTEと同等の送信帯域幅）を持つことができる。
【００７２】
図４において、横軸は周波数領域、縦軸は時間領域を示している。図４では、３つのサービングセル（サービングセル1、サービングセル2、サービングセル3）が集約されていることを示している。ここで、図４において、集約される複数のサービングセルのうちの、例えば、１つのサービングセルは、プライマリセル（Pcell：Primary cell）と定義される。例えば、プライマリセルは、ＬＴＥのセルと同等の機能を持つサービングセルとして定義される。
【００７３】
また、図４において、プライマリセルを除いたサービングセルは、セカンダリセル（Scell：Secondary cell）と定義される。例えば、セカンダリセルは、プライマリセルよりも機能が制限されたセルであり、主に、ＰＤＳＣＨおよび／またはＰＵＳＣＨの送受信のために使用される。
【００７４】
ここで、下りリンクにおいて、サービングセルに対応するキャリアは、下りリンクコンポーネントキャリア（DLCC：Downlink Component Carrier）と呼称される。また、上りリンクにおいて、サービングセルに対応するキャリアは、上りリンクコンポーネントキャリア（ULCC：Uplink Component Carrier）と呼称される。
【００７５】
また、下りリンクにおいて、プライマリセルに対応するキャリアは、下りリンクプライマリコンポーネントキャリア（DLPCC：Downlink Primary Component Carrier）と呼称される。また、下りリンクにおいて、セカンダリセルに対応するキャリアは、下りリンクセカンダリコンポーネントキャリア（DLSCC：Downlink Secondary Component Carrier）と呼称される。また、上りリンクにおいて、プライマリセルに対応するキャリアは、上りリンクプライマリコンポーネントキャリア（ULPCC：Uplink Primary Component Carrier）と呼称される。さらに、上りリンクにおいて、セカンダリセルに対応するキャリアは、上りリンクセカンダリコンポーネントキャリア（ULSCC：Uplink Secondary Component Carrier）と呼称される。
【００７６】
ここで、基地局装置１００は、移動局装置２００に対して、プライマリセルを設定することができる。例えば、基地局装置１００は、移動局装置２００に対して、ＲＲＣシグナリングを使用して、移動局装置固有に（UE-specificallyに）プライマリセルを設定することができる。同様に、基地局装置１００は、移動局装置２００に対して、セカンダリセルを設定することができる。例えば、基地局装置１００は、移動局装置２００に対して、ＲＲＣシグナリングを使用して、移動局装置固有に（UE-specificallyに）セカンダリセルを設定することができる。
【００７７】
図４では、プライマリセルとしてサービングセル１が、セカンダリセルとしてサービングセル２とサービングセル３が示されている。基地局装置１００は、プライマリセルとして、サービングセル１のＤＬＣＣとＵＬＣＣ（DLPCCとULPCC）を設定することができる。また、基地局装置１００は、セカンダリセルとして、サービングセル２のＤＬＣＣとＵＬＣＣ（DLSCC-1とULSCC-1）を設定することができる。さらに、基地局装置１００は、セカンダリセルとして、サービングセル３のＤＬＣＣのみ（DLSCC-2）を設定することができる。
【００７８】
また、図４において、例えば、ＤＬＣＣそれぞれには、右上がりの斜線で示されるようにＰＤＣＣＨが配置される。また、ＤＬＣＣそれぞれには、白塗りで示されるようにＰＤＳＣＨが配置される。すなわち、ＰＤＣＣＨとＰＤＳＣＨは、時間多重される。また、例えば、ＵＬＣＣそれぞれには、黒塗りで示されるようにＰＵＣＣＨが配置される。さらに、ＵＬＣＣそれぞれには、横線で示されるようにＰＵＳＣＨが配置される。すなわち、ＰＵＣＣＨとＰＵＳＣＨは周波数多重される。
【００７９】
図４において、基地局装置１００と移動局装置２００は、１つのサービングセル（DLCC）で１つのＰＤＣＣＨを送受信することができる。また、基地局装置１００と移動局装置２００は、１つのサービングセル（DLCC）で１つのＰＤＳＣＨを送受信することができる。また、基地局装置１００と移動局装置２００は、１つのサービングセル（ULCC）で１つのＰＵＳＣＨを送受信することができる。さらに、基地局装置１００と移動局装置２００は、１つのサービングセル（ULCC）で１つのＰＵＣＣＨを送受信することができる。
【００８０】
例えば、図４において、基地局装置１００と移動局装置２００は、３つのＤＬＣＣを使用して、同一サブフレームで３つのＰＤＣＣＨを送受信することができる。また、基地局装置１００と移動局装置２００は、３つのＤＬＣＣを使用して、同一サブフレームで３つのＰＤＳＣＨを送受信することができる。また、基地局装置１００と移動局装置２００は、２つのＵＬＣＣを使用して、同一サブフレームで２つのＰＵＳＣＨを送受信することができる。ここで、基地局装置１００と移動局装置２００は、同一サブフレームで、１つのＰＵＣＣＨのみを送受信することができる。ここで、基地局装置１００と移動局装置２００は、ＴＤＤ（Time Division Duplex）とＦＤＤ（Frequency Division Duplex）の両方をサポートすることができる。
【００８１】
また、基地局装置１００と移動局装置２００が、ＴＤＤを利用して情報を送受信する際、下りリンクの送信に対して確保されるサブフレームと上りリンクの送信に対して確保されるサブフレームの対応（下りリンクサブフレームと上りリンクサブフレームの対応（関係）、TDD configuration）は、例えば、基地局装置１００からのＲＲＣシグナリングによって移動局装置２００に対して設定される。
【００８２】
以下、基本的には、基地局装置１００と移動局装置２００が、ＴＤＤを利用して情報を送受信する際、下りリンクの４サブフレームを使用して下りリンクの情報（例えば、トランスポートブロック）を送受信し、上りリンクの１サブフレームを使用して上りリンクの情報（例えば、4サブフレームそれぞれで送信された（4個の）トランスポートブロックに対するACK/NACKを示す情報）を送受信することとする。
【００８３】
すなわち、図４において、例えば、基地局装置１００と移動局装置２００は、ＴＤＤを利用することによって、４サブフレームで（最大で）１２個のＰＤＣＣＨを送受信することができる。また、例えば、基地局装置１００と移動局装置２００は、サービングセルそれぞれに対して１つのトランスポートブロックを送信する送信モードが設定された場合、ＴＤＤを利用することによって、４サブフレームで（最大で）１２個のトランスポートブロックを送受信することができる。
【００８４】
同様に、例えば、基地局装置１００と移動局装置２００は、５つのサービングセルを集約させて、ＴＤＤを利用することによって、４サブフレームで（最大で）２０個のＰＤＣＣＨを送受信することができる。また、例えば、基地局装置１００と移動局装置２００は、サービングセルそれぞれに対して１つのトランスポートブロックを送信する送信モードが設定された場合、５つのサービングセルを集約させて、ＴＤＤを利用することによって、４サブフレームで（最大で）２０個のトランスポートブロックを送受信することができる。
【００８５】
また、例えば、基地局装置１００と移動局装置２００は、サービングセルそれぞれに対して２つまでのトランスポートブロックを送信する送信モードが設定された場合、５つのサービングセルを集約させて、ＴＤＤを利用することによって、４サブフレームで（最大で）４０個のトランスポートブロックを送受信することができる。
【００８６】
この際、例えば、基地局装置１００と移動局装置２００は、（最大で）４０個のトランスポートブロックに対するＡＣＫ／ＮＡＣＫを示す情報を上りリンクの１サブフレームで送受信する。すなわち、例えば、基地局装置１００と移動局装置２００は、１つのトランスポートブロックに対するＡＣＫ／ＮＡＣＫを示す情報を１ビットで表した場合、４０個のトランスポートブロックに対するＡＣＫ／ＮＡＣＫを示す情報として４０ビットの情報を送受信する。すなわち、移動局装置２００は、ある上りリンクの１サブフレームで、複数の下りリンクサブフレームに対応するＡＣＫ／ＮＡＣＫを示す情報を送信する。
【００８７】
ここで、基地局装置１００と移動局装置２００は、ＡＣＫ／ＮＡＣＫを示す情報を空間的に束ねる（以下、spatial bundling）ことによって、ＡＣＫ／ＮＡＣＫを示す情報のビット数（情報ビット数）を圧縮（compress、削減とも言える）することができる。例えば、基地局装置１００と移動局装置２００は、２つのコードワード（トランスポートブロック）に対応するそれぞれのＡＣＫ／ＮＡＣＫのビットに対して論理積演算や論理和演算を実行し、算出した情報（値、ビット）をＡＣＫ／ＮＡＣＫを示す情報として送受信する。
【００８８】
例えば、移動局装置２００は、ＰＤＳＣＨの第１のコードワードに対応してＡＣＫ、ＰＤＳＣＨの第２のコードワードに対応してＮＡＣＫを送信する際に、これらの情報に対してspatial bundlingを適用することによって、ＮＡＣＫとして送信することができる。また、例えば、移動局装置２００は、ＰＤＳＣＨの第１のコードワードに対応してＡＣＫ、ＰＤＳＣＨの第２のコードワードに対応してＡＣＫを送信する際に、これらの情報に対してspatial bundlingを適用することによって、ＡＣＫとして送信することができる。
【００８９】
例えば、移動局装置２００は、（最大で）４０個のトランスポートブロックを送信する際に、ＰＤＳＣＨの第１のコードワードに対応するＡＣＫ／ＮＡＣＫを示す情報とＰＤＳＣＨの第２のコードワードに対応するＡＣＫ／ＮＡＣＫを示す情報に対してspatial bundlingを適用することによって、（最大で）２０ビットの情報量のＡＣＫ／ＮＡＣＫを示す情報に圧縮し、圧縮したＡＣＫ／ＮＡＣＫを示す情報を送信することができる。すなわち、移動局装置２００は、各サービングセルにおける下りリンクサブフレームのそれぞれにおいて受信したＰＤＳＣＨの第１のコードワードと第２のコードワードのそれぞれに対応するＡＣＫ／ＮＡＣＫを示す情報のビットに対してspatial bundlingを適用する。
【００９０】
ここで、基地局装置１００と移動局装置２００が送受信するＡＣＫ／ＮＡＣＫを示す情報のビット数（spatial bundlingを適用する前のビット数）は、基地局装置１００によって設定された、サービングセル（サービングセルの数、プライマリセルとセカンダリセルの数）と各サービングセルにおける下りリンク送信モード（シングルアンテナポートを使用した下りリンクデータ送信（シングルアンテナポートを使用したPDSCHの送信、Non-MIMOモードによるPDSCHの送信、1つのトランスポートブロックの送信）、または、マルチアンテナポートを使用した下りリンクデータ送信（マルチアンテナポートを使用したPDSCHの送信、MIMOを適用したPDSCHの送信、2つまでのトランスポートブロックの送信））によって決定される。
【００９１】
また、基地局装置１００と移動局装置２００が送受信するＡＣＫ／ＮＡＣＫを示す情報のビット数（spatial bundlingを適用する前のビット数）は、基地局装置１００からのＲＲＣシグナリングによって設定された下りリンクサブフレームと上りリンクサブフレームの対応（TDD configuration）によって決定される。
【００９２】
例えば、基地局装置１００が、３つのサービングセルを設定し、各サービングセルに対する下りリンク送信モードとしてマルチアンテナポートを使用したＰＤＳＣＨの送信（2つまでのトランスポートブロックの送信）を設定した場合、ＡＣＫ／ＮＡＣＫを示す情報のビット数は６ビットとなる。
【００９３】
また、例えば、基地局装置１００と移動局装置２００が、この設定において、ＴＤＤを利用して、例えば、４サブフレーム全てで、全てのサービングセルにおいてＰＤＳＣＨを送受信する場合、ＡＣＫ／ＮＡＣＫを示す情報のビット数は２４ビット（6ビット×4サブフレーム）となる。
【００９４】
同様に、基地局装置１００が、３つのサービングセルを設定し、各サービングセルに対する下りリンク送信モードとして、１つのサービングセルに対してシングルアンテナポートを使用したＰＤＳＣＨの送信（1つのトランスポートブロックの送信）、２つのサービングセルに対してマルチアンテナポートを使用したＰＤＳＣＨの送信（2つまでのトランスポートブロックの送信）を設定した場合、ＡＣＫ／ＮＡＣＫを示す情報のビット数は５ビットとなる。
【００９５】
同様に、基地局装置１００と移動局装置２００が、この設定において、ＴＤＤを利用して、例えば、４サブフレーム全てで、全てのサービングセルにおいてＰＤＳＣＨを送受信する場合、ＡＣＫ／ＮＡＣＫを示す情報のビット数は２０ビット（5ビット×4サブフレーム）となる。
【００９６】
ここで、例えば、移動局装置２００は、基地局装置１００によって設定されたサービングセルと各サービングセルに対する下りリンク送信モードに応じて決定されたＡＣＫ／ＮＡＣＫを示す情報のビット数が２０ビットを超えている場合には、spatial bundlingを適用する（基地局装置100からの設定に従って、自動的にspatial bundlingを適用する）ことによって、ＡＣＫ／ＮＡＣＫを示す情報のビット数を圧縮しても良い。
【００９７】
すなわち、移動局装置２００は、基地局装置１００からの設定に従って決定されるＡＣＫ／ＮＡＣＫを示す情報のビット数が、ある所定のビット数（所定の値）を超えている場合には、自動的にspatial bundlingを適用することによって、ＡＣＫ／ＮＡＣＫを示す情報のビット数を圧縮することができる。ここで、移動局装置２００が、ＡＣＫ／ＮＡＣＫを示す情報に対してspatial bundlingを適用するビット数は、例えば、仕様書等によって事前に定義される。
【００９８】
すなわち、例えば、移動局装置２００は、ＰＵＣＣＨを使用してＡＣＫ／ＮＡＣＫを示す情報を基地局装置１００へ送信する際に、ＡＣＫ／ＮＡＣＫを示す情報のビット数がＰＵＣＣＨ１サブフレームで送信可能なビット数（例えば、20ビット）を超えている場合には、ＡＣＫ／ＮＡＣＫを示す情報をＰＵＣＣＨ１サブフレームで送信可能なビット数以下に圧縮することができる。
【００９９】
ここで、移動局装置２００は、ＡＣＫ／ＮＡＣＫを示す情報（例えば、ビット数が1〜20ビットのACK/NACKを示す情報）を、ＳＲＭＣまたはＤＲＭＣを利用してコーディングする。移動局装置２００は、ＳＲＭＣまたはＤＲＭＣを利用してコーディングしたＡＣＫ／ＮＡＣＫを示す情報を基地局装置１００へ送信することができる。
【０１００】
また、移動局装置２００は、ＡＣＫ／ＮＡＣＫを示す情報（例えば、ビット数が1〜20ビットのACK/NACKを示す情報）を送信する際に、ＡＣＫ／ＮＡＣＫを示す情報以外の第１の上りリンク制御情報（例えば、スケジューリングリクエスト、チャネル状態情報）を送信する必要がある場合には、ＡＣＫ／ＮＡＣＫを示す情報とＡＣＫ／ＮＡＣＫを示す情報以外の第１の上りリンク制御情報をともに、ＳＲＭＣまたはＤＲＭＣを利用してコーディングする。移動局装置２００は、ＳＲＭＣまたはＤＲＭＣを利用してコーディングしたＡＣＫ／ＮＡＣＫを示す情報とＡＣＫ／ＮＡＣＫを示す情報以外の第１の上りリンク制御情報をともに、同一サブフレームで基地局装置１００へ送信することができる。
【０１０１】
また、基地局装置１００は、移動局装置２００が上りリンク制御情報（ACK/NACKを示す情報、第１の上りリンク制御情報（例えば、スケジューリングリクエスト、チャネル状態情報））を送信するためのＰＵＣＣＨリソースを割り当てることができる。例えば、基地局装置１００は、移動局装置２００が上りリンク制御情報を送信するためのＰＵＣＣＨリソースを、ＲＲＣシグナリングを使用して割り当てることができる。
【０１０２】
また、例えば、基地局装置１００は、移動局装置２００が上りリンク制御情報を送信するためのＰＵＣＣＨリソースを、ＰＤＣＣＨに対応させて割り当てることができる。
【０１０３】
また、例えば、基地局装置１００は、移動局装置２００が上りリンク制御情報を送信するためのＰＵＣＣＨリソースの候補（例えば、4つのPUCCHリソースの候補）をＲＲＣシグナリングで設定し、さらに、ＰＤＣＣＨで送信される情報（ARI：ACK/NACK Resource Indicator、UCI Resource Indicatorとも呼称される）を使用して４つのＰＵＣＣＨリソースの候補の中から１つのＰＵＣＣＨリソースを指示することによって、移動局装置２００に対してＰＵＣＣＨリソースを割り当てることができる。
【０１０４】
ここで、例えば、基地局装置１００は、セカンダリセルのＰＤＣＣＨで送信される情報（ARI）を使用して４つのＰＵＣＣＨリソースの候補の中から１つのＰＵＣＣＨリソースを指示することができる。この際、移動局装置２００は、同一サブフレームで、複数のセカンダリセルのＰＤＣＣＨで送信される情報（ARI）には、全て同じ値がセットされていると想定する。
【０１０５】
［（シングル）リードマラーコードを利用したコーディング方法について］
図５Ａ、図５Ｂは、移動局装置２００による（シングル）リードマラーコード（SRMC）を利用したコーディング方法の一例を示す図である。図５Ａ、図５Ｂにおいて、移動局装置２００は、ＡＣＫ／ＮＡＣＫを示す情報に対してＳＲＭＣを利用したコーディングを適用している。例えば、移動局装置２００は、上記に示した送信データ変調部２０２において、上りリンク制御情報に対してＳＲＭＣを利用したコーディングを適用する。図５Ａ、図５Ｂにおいて、チャネルコーディング／レートマッチングブロックに入力されるＡＣＫ／ＮＡＣＫに対するビットシーケンス（ビット）は、［ｏACK0 ｏACK1…ｏACK oACK-1］で示される。ここで、ｏACKは、ＡＣＫ／ＮＡＣＫを示す情報のビット数（情報ビット数、ペイロードサイズ、情報量、ビットシーケンスの長さとも言える）を示している。
【０１０６】
まず、例えば、ＡＣＫ／ＮＡＣＫを示す情報に対するビットシーケンス［ｏACK0 ｏACK1…ｏACK oACK-1］は、リードマラーコードである（32、ｏACK）ブロックコードを使用してコーディングされる。図６は、コーディングに使用される（32、ｏACK）ブロックコードのコードワードの一例を示しており、例えば、（32、ｏACK）ブロックコードのコードワードとしては、Mi,nで示される１１のベースシーケンスの線形結合（linear combination）が使用される。図６は、（32、ｏACK）コードに対するベースシーケンスの一例を示している。
【０１０７】
例えば、図５Ａ、図５Ｂにおいて、１１ビットのビットシーケンスで示されるＡＣＫ／ＮＡＣＫを示す情報が（32、ｏACK）ブロックコードのコードワードに入力され、３２ビットのエンコーデッドブロックが出力される。さらに、図５Ａ、図５Ｂでは、チャネルコーディング／レートマッチングブロックにおいて、３２ビットのエンコーデッドブロックのサーキュラーレピティション（circular repetition、巡回的な繰り返し）によって、４８ビットのビットシーケンス［qACK(0)0 qACK(0)1…qACK(0)47］が出力されていることを示している。すなわち、ＳＲＭＣを利用したコーディングは、サーキュラーレピティションによって、４８ビットのビットシーケンスを出力するために、コーディングによる品質の維持、向上を計ることが可能となる。ここで、例えば、ビットシーケンスqACK(0)iの生成には、下記の算出式（１）が使用される。
【０１０８】
【数１】
0005821069.tif 000002
【０１０９】
さらに、図５Ａ、図５Ｂにおいて、チャネルコーディング／レートマッチングブロックから出力されたビットシーケンス［qACK(0)0 qACK(0)1…qACK(0)47］は、変調ブロックにおいて変調される。図５Ａ、図５Ｂでは、例として、変調ブロックにおいて、ビットシーケンス［qACK(0)0 qACK(0)1…qACK(0)47］に対してＱＰＳＫが施され、２４の複素数値変調シンボルのブロック（a block of complex-valued modulation symbol）［dACK0 dACK1…dACK23］が出力されていることを示している。ここで、例えば、ＱＰＳＫの変調多値数（1サブフレームあたりで送信可能なビット数）は２であり、１６ＱＡＭの変調多値数は４であり、６４ＱＡＭの変調多値数は６である。
【０１１０】
さらに、図５Ａ、図５Ｂにおいて、変調ブロックから出力された複素数値変調シンボルのブロック［dACK0 dACK1…dACK23］は、分割ブロックにおいて複素数値変調シンボルのブロック［dACK0dACK1…dACK11］、［dACK12 dACK13…dACK23］に分割される。ここで、例えば、分割された複素数値変調シンボルのブロック［dACK0dACK1…dACK11］は、１サブフレーム（1ms）の第１スロット目（最初の0.5ms）に、複素数値変調シンボルのブロック［dACK12  dACK13…dACK23］は、１サブフレーム（1ms）の第２スロット目（残りの0.5ms）にマッピングされる。
【０１１１】
さらに、それぞれの分割ブロックから出力された複素数値変調シンボルのブロック［dACK0dACK1…dACK11］、［dACK12 dACK13…dACK23］は、複製ブロック（replication block）において複製され、複製されたそれぞれの複素数値変調シンボルのブロックに対してオーソゴナルシーケンス（例えば、w(0)、w(1)、w(2) 、w(3)、w(4)）が施されて直交化された後に（w(i)でblock wise spreadingされた後に）、ＤＦＴブロックにおいてＤＦＴが施される。
【０１１２】
さらに、ＤＦＴブロックから出力された複素数値変調シンボルのブロックは、Zadoff-Chu（ZC）シーケンスのサイクリックシフト（CS：Cyclic Shift）を施すことによって直交化されたＤＭＲＳ（Demodulation Reference Symbol）とともに、マッピングブロックにおいて無線リソース（PUCCHリソース）にマッピングされ、ＩＦＦＴブロックにおいて、ＩＦＦＴ処理が施される。
【０１１３】
［デュアルリードマラーコードを利用したコーディング方法について］
図７Ａ、図７Ｂは、移動局装置２００によるデュアルリードマラーコード（DRMC）を利用したコーディング方法の一例を示す図である。図７Ａ、図７Ｂにおいて、移動局装置２００は、ＡＣＫ／ＮＡＣＫを示す情報に対してＤＲＭＣを利用したコーディングを適用している。例えば、移動局装置２００は、上記に示した送信データ変調部２０２において、上りリンク制御情報に対してＤＲＭＣを利用したコーディングを適用する。
【０１１４】
図７Ａ、図７Ｂにおいて、分割ブロックに入力されるＡＣＫ／ＮＡＣＫに対するビットシーケンス（ビット）は、［ｏACK0 ｏACK1…ｏACKoACK-1］で示される。ここで、ｏACKは、ＡＣＫ／ＮＡＣＫを示す情報のビット数（情報ビット数、ペイロードサイズ、情報量、ビットシーケンスの長さとも言える）を示している。
【０１１５】
まず、例えば、ＡＣＫ／ＮＡＣＫを示す情報に対するビットシーケンス［ｏACK0 ｏACK1…ｏACKoACK-1］は、分割ブロックにおいて、それぞれビットシーケンス［ｏACK0 ｏACK1…ｏACK┌oACK/2┐-1］、［ｏACK┌OACK/2┐ ｏACK┌OACK/2┐+1…ｏACKoACK-1］に分割される。さらに、分割されたそれぞれのビットシーケンス［ｏACK0 ｏACK1…ｏACK┌oACK/2┐-1］、［ｏACK┌OACK/2┐ ｏACK┌OACK/2┐+1…ｏACKoACK-1］は、チャネルコーディング／パンクチャブロックにおいて、（３２、ｏACK）ブロックコードを使用して（2つのリードマラーコードを使用して）コーディングされる。ここで、例えば、コーディングに使用される（32、ｏACK）ブロックコードのコードワードとしては、図６で示すようなMi,nで示される１１のベースシーケンスの線形結合（linear combination）が２つ使用される。また、例えば、（32、ｏACK）ブロックコードから出力されるそれぞれのエンコーデッドブロックは、最後の８ビットがパンクチャされ、それぞれ（32、ｏACK）ブロックコードから２４ビットのエンコーデッドブロックが出力される。
【０１１６】
例えば、図７Ａ、図７Ｂにおいて、２０ビットのビットシーケンスで示されるＡＣＫ／ＮＡＣＫを示す情報が、分割ブロックにおいて１０ビットずつに分割される。さらに、図７Ａ、図７Ｂでは、チャネルコーディング／パンクチャブロックそれぞれにおいて、１０ビットのビットシーケンスから３２ビットのエンコーデッドブロックが出力され、最後の８ビットをパンクチャすることによって、それぞれが２４ビットのビットシーケンス［qACK(0)0 qACK(0)1…qACK(0)23］、［qACK(1)0 qACK(1)1…qACK(1)23］が出力されていることを示している。すなわち、ＤＲＭＣを利用したコーディングは、最後の８ビットをパンクチャすることによって、それぞれが２４ビットのビットシーケンスを出力するために、ＳＲＭＣを利用したコーディングと比べると、コーディングによる品質の低下が生じる可能性がある。ここで、例えば、ビットシーケンスqACK(0)i、qACK(1)iそれぞれの生成には、下記の算出式（２）、（３）が使用される。
【０１１７】
【数２】
0005821069.tif 000003
【０１１８】
【数３】
0005821069.tif 000004
【０１１９】
さらに、図７Ａ、図７Ｂにおいて、チャネルコーディング／パンクチャブロックから出力されたビットシーケンス［qACK(0)0 qACK(0)1…qACK(0)23］、［qACK(1)0 qACK(1)1…qACK(1)23］は、インタリーブ／連結（interleave/concatenation block）において、インタリーブされ、連結される。図７Ａ、図７Ｂでは、インタリーブ／連結ブロックから出力された４８ビットのビットシーケンスが［qACK0 qACK1…qACK47］で示されている。
【０１２０】
さらに、図７Ａ、図７Ｂにおいて、インタリーブ／連結ブロックから出力された４８ビットのビットシーケンス［qACK0 qACK1…qACK47］は、変調ブロックにおいて変調される。図７Ａ、図７Ｂでは、例として、変調ブロックにおいて、ビットシーケンス［qACK0 qACK1…qACK47］に対してＱＰＳＫが施され、２４の複素数値変調シンボルのブロック（a block of complex-valued modulation symbol）［dACK0 dACK2…dACK23］が出力されていることを示している。
【０１２１】
さらに、図７Ａ、図７Ｂにおいて、変調ブロックから出力された複素数値変調シンボルのブロック［dACK0 dACK1…dACK23］は、分割ブロックにおいて複素数値変調シンボルのブロック［dACK0dACK1…dACK11］、［dACK12 dACK13…dACK23］に分割される。ここで、例えば、分割された複素数値変調シンボルのブロック［dACK0dACK1…dACK11］は、１サブフレーム（1ms）の第１スロット目（最初の0.5ms）に、複素数値変調シンボルのブロック［dACK12 dACK13…dACK23］は、１サブフレーム（1ms）の第２スロット目（残りの0.5ms）にマッピングされる。
【０１２２】
さらに、それぞれの分割ブロックから出力された複素数値変調シンボルのブロック［dACK0dACK1…dACK11］、［dACK12 dACK13…dACK23］は、複製ブロック（replication block）において複製され、複製されたそれぞれの複素数値変調シンボルのブロックに対してオーソゴナルシーケンス（例えば、w(0)、w(1)、w(2) 、w(3)、 w(4)）が施されて直交化された後に（w(i)でblock wise spreadingされた後に）、ＤＦＴブロックにおいてＤＦＴが施される。
【０１２３】
さらに、ＤＦＴブロックから出力された複素数値変調シンボルのブロックは、Zadoff-Chu（ZC）シーケンスのサイクリックシフト（CS：Cyclic Shift）を施すことによって直交化されたＤＭＲＳ（Demodulation Reference Symbol）とともに、マッピングブロックにおいて無線リソース（PUCCHリソース）にマッピングされ、ＩＦＦＴブロックにおいて、ＩＦＦＴ処理が施される。
【０１２４】
（第１の実施形態）
次に、基地局装置１００および移動局装置２００を用いた移動通信システムにおける第１の実施形態を説明する。第１の実施形態では、移動局装置２００は、ＡＣＫ／ＮＡＣＫを示す情報をコーディングする際に、第１のペイロードサイズに応じて、ＤＲＭＣを利用したコーディング方法を適用するのか、ＳＲＭＣを利用したコーディング方法を適用するのかを決定し、ＡＣＫ／ＮＡＣＫを示す情報と第１の制御情報をともにコーディングする際に、第２のペイロードサイズに応じて、ＤＲＭＣを利用したコーディング方法を適用するのか、ＳＲＭＣを利用したコーディング方法を適用するのかを決定することができる。ここで、第１のペイロードサイズと第２のペイロードサイズはそれぞれ規定される。
【０１２５】
また、移動局装置２００は、ＡＣＫ／ＮＡＣＫを示す情報をコーディングする際に、第１のペイロードサイズに応じて、ＤＲＭＣを利用したコーディング方法を適用するのか、ＳＲＭＣを利用したコーディング方法を適用するのかを決定し、ＡＣＫ／ＮＡＣＫを示す情報と第１の制御情報をともにコーディングする際に、第２のペイロードサイズに応じて、ＤＲＭＣを利用したコーディング方法を適用するのか、ＳＲＭＣを利用したコーディング方法を適用するのかを決定する。ここで、第１のペイロードサイズと第２のペイロードサイズは、異なるペイロードサイズである。
【０１２６】
ここで、第１のペイロードサイズには、ＡＣＫ／ＮＡＣＫを示す情報のペイロードサイズが含まれる。また、第２のペイロードサイズには、ＡＣＫ／ＮＡＣＫを示す情報のペイロードサイズが含まれる。また、第２のペイロードサイズには、ＡＣＫ／ＮＡＣＫを示す情報のペイロードサイズと第１の制御情報のペイロードサイズの合計が含まれても良い。
【０１２７】
さらに、第１のペイロードサイズは、ＡＣＫ／ＮＡＣＫを示す情報のコーディングに使用されるＲＭコードのベースシーケンスによって決定される。また、第２のペイロードサイズは、ＡＣＫ／ＮＡＣＫを示す情報と第１の制御情報のコーディングに使用されるＲＭコードのベースシーケンスによって決定される。
【０１２８】
また、移動局装置２００は、あるサブフレームにおいて、ＡＣＫ／ＮＡＣＫを示す情報を送信するのか、ＡＣＫ／ＮＡＣＫを示す情報と第１の制御情報をともに送信するのかに応じて、それぞれの送信に対して規定されたペイロードサイズで、ＤＲＭＣを利用したコーディング方法とＳＲＭＣを利用したコーディング方法を切り替えることができる。
【０１２９】
ここで、第１の制御情報には、スケジューリングリクエストが含まれる。また、第１の制御情報には、チャネル状態情報が含まれる。また、移動局装置２００が、ＡＣＫ／ＮＡＣＫを示す情報以外の上りリンク制御情報として送信する（または、コーディングする）上りリンク制御情報を、第１の制御情報と記載する。
【０１３０】
図８は、本発明における第１の実施形態を説明するシーケンスチャートである。第１の実施形態は、上記に示したようなセル集約をサポートする移動通信システムにおける基地局装置１００と移動局装置２００に対して適用可能である。また、第１の実施形態は、ＴＤＤおよび／またはＦＤＤをサポートする基地局装置１００と移動局装置２００に対して適用可能である。
【０１３１】
図８において、移動局装置２００は、ＡＣＫ／ＮＡＣＫを示す情報を基地局装置１００へ送信する際に（Ｓ１：ステップ１）、ＡＣＫ／ＮＡＣＫを示す情報に対してＳＲＭＣを利用したコーディング方法を適用することができる。また、移動局装置２００は、同一サブフレームでＡＣＫ／ＮＡＣＫを示す情報と第１の制御情報をともに基地局装置１００へ送信する際に（Ｓ２：ステップ２）、ＡＣＫ／ＮＡＣＫを示す情報と第１の制御情報に対してＳＲＭＣを利用したコーディング方法を適用することができる。
【０１３２】
また、移動局装置２００は、同一サブフレームでＡＣＫ／ＮＡＣＫを示す情報と第１の制御情報をともに基地局装置１００へ送信する際に（Ｓ３：ステップ３）、ＡＣＫ／ＮＡＣＫを示す情報と第１の制御情報に対してＤＲＭＣを利用したコーディング方法を適用することができる。さらに、移動局装置２００は、ＡＣＫ／ＮＡＣＫを示す情報を基地局装置１００へ送信する際に（Ｓ４：ステップ４）、ＡＣＫ／ＮＡＣＫを示す情報に対してＤＲＭＣを利用したコーディング方法を適用することができる。
【０１３３】
図８において、移動局装置２００は、ＡＣＫ／ＮＡＣＫを示す情報を基地局装置１００へ送信する際に（Ｓ１：ステップ１）、ＡＣＫ／ＮＡＣＫを示す情報に対してＳＲＭＣを利用したコーディング方法を適用することができる。また、移動局装置２００は、ＡＣＫ／ＮＡＣＫを示す情報を基地局装置１００へ送信する際に（Ｓ４：ステップ４）、ＡＣＫ／ＮＡＣＫを示す情報に対してＤＲＭＣを利用したコーディング方法を適用することができる。
【０１３４】
ここで、例えば、移動局装置２００は、ＡＣＫ／ＮＡＣＫを示す情報のペイロードサイズ（ビット数、情報量、ビットシーケンスとも言える）が１０ビット以下（11ビットよりも小さい場合）の場合は、ＡＣＫ／ＮＡＣＫを示す情報に対してＳＲＭＣを利用したコーディング方法を適用することができる。すなわち、移動局装置２００は、ＡＣＫ／ＮＡＣＫを示す情報をコーディングする際に、ＡＣＫ／ＮＡＣＫを示す情報のペイロードサイズが、Ｎビット（ある所定のビット数）以下の場合（ある所定のビット数よりも小さい場合）に、ＡＣＫ／ＮＡＣＫを示す情報に対してＳＲＭＣを利用したコーディング方法を適用することができる。
【０１３５】
また、例えば、移動局装置２００は、ＡＣＫ／ＮＡＣＫを示す情報のペイロードサイズが１０ビットよりも大きい場合（11ビット以上の場合）は、ＡＣＫ／ＮＡＣＫを示す情報に対してＤＲＭＣを利用したコーディング方法を適用することができる。すなわち、移動局装置２００は、ＡＣＫ／ＮＡＣＫを示す情報をコーディングする際に、ＡＣＫ／ＮＡＣＫを示す情報のペイロードサイズが、Ｎビット（ある所定のビット数）よりも大きい場合（ある所定のビット数以上の場合）に、ＡＣＫ／ＮＡＣＫを示す情報に対してＤＲＭＣを利用したコーディング方法を適用することができる。
【０１３６】
ここで、移動局装置２００が、ＡＣＫ／ＮＡＣＫを示す情報のペイロードサイズが何ビット以下の場合に（何ビットよりも大きい場合に）、ＡＣＫ／ＮＡＣＫを示す情報に対してＳＲＭＣを利用したコーディング方法を適用するのか（DRMCを利用したコーディング方法を適用するのか）は、例えば、ＡＣＫ／ＮＡＣＫを示す情報のコーディングに使用されるＲＭコードのベースシーケンスによって決定される。
【０１３７】
また、移動局装置が、ＡＣＫ／ＮＡＣＫを示す情報のペイロードサイズが何ビット以下の場合に（何ビットよりも大きい場合に）、ＡＣＫ／ＮＡＣＫを示す情報に対してＳＲＭＣを利用したコーディング方法を適用するのか（DRMCを利用したコーディング方法を適用するのか）は、例えば、仕様等によって事前に規定される。
【０１３８】
例えば、移動局装置２００は、図６に示したような１１ビットのビットシーケンスを入力可能なＲＭコードのベースシーケンスをＡＣＫ／ＮＡＣＫを示す情報のコーディングに使用する場合、ＡＣＫ／ＮＡＣＫを示す情報のペイロードサイズが１０ビット以下の場合には、ＡＣＫ／ＮＡＣＫを示す情報に対してＳＲＭＣを利用したコーディング方法を適用することができる。
【０１３９】
ここで、例えば、移動局装置２００は、図６に示したような１１ビットのビットシーケンスを入力可能なＲＭコードのベースシーケンスをＡＣＫ／ＮＡＣＫを示す情報のコーディングに使用する場合、ＡＣＫ／ＮＡＣＫを示す情報のペイロードサイズが１１ビット以下の場合には、ＡＣＫ／ＮＡＣＫを示す情報に対してＳＲＭＣを利用したコーディング方法を適用しても良い。
【０１４０】
また、例えば、移動局装置２００は、図６に示したような１１ビットのビットシーケンスを入力可能なＲＭコードのベースシーケンスをＡＣＫ／ＮＡＣＫを示す情報のコーディングに使用する場合、ＡＣＫ／ＮＡＣＫを示す情報のペイロードサイズが１０ビットよりも大きい場合には、ＡＣＫ／ＮＡＣＫを示す情報に対してＤＲＭＣを利用したコーディング方法を適用することができる。
【０１４１】
ここで、例えば、移動局装置２００は、図６に示したような１１ビットのビットシーケンスを入力可能なＲＭコードのベースシーケンスをＡＣＫ／ＮＡＣＫを示す情報のコーディングに使用する場合、ＡＣＫ／ＮＡＣＫを示す情報のペイロードサイズが１１ビットよりも大きい場合には、ＡＣＫ／ＮＡＣＫを示す情報に対してＤＲＭＣを利用したコーディング方法を適用しても良い。
【０１４２】
すなわち、移動局装置２００は、Ｎビットのビットシーケンスを入力可能なＲＭコードのベースシーケンスをＡＣＫ／ＮＡＣＫを示す情報のコーディングに使用する場合、ＡＣＫ／ＮＡＣＫを示す情報に対するビットシーケンスが（Ｎ-１）ビット以下の場合には、ＡＣＫ／ＮＡＣＫを示す情報に対してＳＲＭＣを利用したコーディング方法を適用することができる。
【０１４３】
また、移動局装置２００は、Ｎビットのビットシーケンスを入力可能なＲＭコードのベースシーケンスをＡＣＫ／ＮＡＣＫを示す情報のコーディングに使用する場合、ＡＣＫ／ＮＡＣＫを示す情報に対するビットシーケンスがＮビット以下の場合には、ＡＣＫ／ＮＡＣＫを示す情報に対してＳＲＭＣを利用したコーディング方法を適用しても良い。
【０１４４】
また、移動局装置２００は、Ｎビットのビットシーケンスを入力可能なＲＭコードのベースシーケンスをＡＣＫ／ＮＡＣＫを示す情報のコーディングに使用する場合、ＡＣＫ／ＮＡＣＫを示す情報に対するビットシーケンスが（Ｎ−１）ビットよりも大きい場合には、ＡＣＫ／ＮＡＣＫを示す情報に対してＤＲＭＣを利用したコーディング方法を適用する。
【０１４５】
さらに、移動局装置２００は、Ｎビットのビットシーケンスを入力可能なＲＭコードのベースシーケンスをＡＣＫ／ＮＡＣＫを示す情報のコーディングに使用する場合、ＡＣＫ／ＮＡＣＫを示す情報に対するビットシーケンスがＮビットよりも大きい場合には、ＡＣＫ／ＮＡＣＫを示す情報に対してＤＲＭＣを利用したコーディング方法を適用しても良い。
【０１４６】
また、図８において、移動局装置２００は、同一サブフレームでＡＣＫ／ＮＡＣＫを示す情報と第１の制御情報をともに基地局装置１００へ送信する際に（Ｓ２：ステップ２）、ＡＣＫ／ＮＡＣＫを示す情報と第１の制御情報に対してＳＲＭＣを利用したコーディング方法を適用することができる。また、移動局装置２００は、同一サブフレームでＡＣＫ／ＮＡＣＫを示す情報と第１の制御情報をともに基地局装置１００へ送信する際に（Ｓ３：ステップ３）、ＡＣＫ／ＮＡＣＫを示す情報と第１の制御情報に対してＤＲＭＣを利用したコーディング方法を適用することができる。
【０１４７】
ここで、例えば、移動局装置２００は、基地局装置１００に対してスケジューリングをリクエストするために“１”にセットされた情報を（予め定義されたスケジューリングリクエストを示す情報が配置される情報フィールドに“1”をセットして）送信し、それ以外の場合（例えば、スケジューリングをリクエストしない場合）には“０”にセットされた情報を（予め定義されたスケジューリングリクエストを示す情報が配置される情報フィールドに“0”をセットして）送信しても良い。
【０１４８】
すなわち、移動局装置２００は、ＡＣＫ／ＮＡＣＫを示す情報とともに、“１（スケジューリングのリクエストを示す情報）”または“０（それ以外の状態を示す情報）”にセットされた情報（情報ビット、情報フィールド）を送信しても良い。以下、基本的には、移動局装置２００が基地局装置１００へ送信するスケジューリングリクエストは、１ビットの情報によって表されることとする。
【０１４９】
また、例えば、移動局装置２００は、ＡＣＫ／ＮＡＣＫを示す情報と、基地局装置１００に対して下りリンクのチャネル状態情報をレポートするためのチャネル状態情報やチャネル品質識別子やプレコーディングマトリックス識別子やランク識別子をともに送信しても良い。
【０１５０】
ここで、例えば、移動局装置２００は、ＡＣＫ／ＮＡＣＫを示す情報のペイロードサイズ（ビット数、情報量、ビットシーケンスとも言える）が１０ビット以下の場合（11ビットよりも小さい場合）は、ＡＣＫ／ＮＡＣＫを示す情報と第１の制御情報に対してＳＲＭＣを利用したコーディング方法を適用することができる。すなわち、移動局装置２００は、ＡＣＫ／ＮＡＣＫを示す情報と第１の制御情報をコーディングする際に、ＡＣＫ／ＮＡＣＫを示す情報のペイロードサイズが、Ｍビット（ある所定のビット数）以下の場合（ある所定のビット数よりも小さい場合）に、ＡＣＫ／ＮＡＣＫを示す情報と第１の制御情報に対してＳＲＭＣを利用したコーディング方法を適用することができる。
【０１５１】
また、例えば、移動局装置２００は、ＡＣＫ／ＮＡＣＫを示す情報のペイロードサイズが１０ビットよりも大きい場合（11ビット以上の場合）は、ＡＣＫ／ＮＡＣＫを示す情報と第１の制御情報に対してＤＲＭＣを利用したコーディング方法を適用することができる。すなわち、移動局装置２００は、ＡＣＫ／ＮＡＣＫを示す情報と第１の制御情報をコーディングする際に、ＡＣＫ／ＮＡＣＫを示す情報のペイロードサイズが、Ｍビット（ある所定のビット数）よりも大きい場合（ある所定のビット数以上の場合）に、ＡＣＫ／ＮＡＣＫを示す情報と第１の制御情報に対してＤＲＭＣを利用したコーディング方法を適用することができる。
【０１５２】
また、例えば、移動局装置２００は、ＡＣＫ／ＮＡＣＫを示す情報のペイロードサイズと第１の制御情報のペイロードサイズの合計が１１ビット以下の場合（12ビットよりも小さい場合）は、ＡＣＫ／ＮＡＣＫを示す情報と第１の制御情報に対してＳＲＭＣを利用したコーディング方法を適用しても良い。すなわち、移動局装置２００は、ＡＣＫ／ＮＡＣＫを示す情報と第１の制御情報をコーディングする際に、ＡＣＫ／ＮＡＣＫを示す情報のペイロードサイズと第１の制御情報のペイロードサイズの合計が、Ｌビット（ある所定のビット数）以下の場合（ある所定のビット数よりも小さい場合）に、ＡＣＫ／ＮＡＣＫを示す情報と第１の制御情報に対してＳＲＭＣを利用したコーディング方法を適用しても良い。
【０１５３】
また、例えば、移動局装置２００は、ＡＣＫ／ＮＡＣＫを示す情報のペイロードサイズと第１の制御情報のペイロードサイズの合計が１１ビットよりも大きい場合（12ビット以上の場合）は、ＡＣＫ／ＮＡＣＫを示す情報と第１の制御情報に対してＤＲＭＣを利用したコーディング方法を適用しても良い。すなわち、移動局装置２００は、ＡＣＫ／ＮＡＣＫを示す情報と第１の制御情報をコーディングする際に、ＡＣＫ／ＮＡＣＫを示す情報のペイロードサイズと第１の制御情報のペイロードサイズの合計が、Ｌビット（ある所定のビット数）よりも大きい場合（ある所定のビット数以上の場合）に、ＡＣＫ／ＮＡＣＫを示す情報と第１の制御情報に対してＤＲＭＣを利用したコーディング方法を適用しても良い。
【０１５４】
すなわち、移動局装置２００は、ＡＣＫ／ＮＡＣＫを示す情報と第１の制御情報をコーディングする際に、ＳＲＭＣを利用したコーディング方法を適用するのか、ＤＲＭＣを利用したコーディング方法を適用するのかを、ＡＣＫ／ＮＡＣＫを示す情報のペイロードサイズのみに応じて決定することができる。
【０１５５】
また、移動局装置２００は、ＡＣＫ／ＮＡＣＫを示す情報と第１の制御情報をコーディングする際に、ＳＲＭＣを利用したコーディング方法を適用するのか、ＤＲＭＣを利用したコーディング方法を適用するのかを、ＡＣＫ／ＮＡＣＫを示す情報のペイロードサイズと第１の制御情報のペイロードサイズの合計に応じて決定しても良い。
【０１５６】
また、移動局装置２００は、ＡＣＫ／ＮＡＣＫを示す情報と第１の制御情報をコーディングする際に、ＳＲＭＣを利用したコーディング方法を適用するのか、ＤＲＭＣを利用したコーディング方法を適用するのかを、第１の制御情報のペイロードサイズのみに応じては決定しない（第1の制御情報のペイロードサイズのみには依存しない）。
【０１５７】
ここで、移動局装置２００が、ＡＣＫ／ＮＡＣＫを示す情報のペイロードサイズが何ビット以下の場合に（何ビットよりも大きい場合に）、ＡＣＫ／ＮＡＣＫを示す情報と第１の制御情報に対してＳＲＭＣを利用したコーディング方法を適用するのか（DRMCを利用したコーディング方法を適用するのか）は、例えば、ＡＣＫ／ＮＡＣＫを示す情報と第１の制御情報のコーディングに使用されるＲＭコードのベースシーケンスによって決定される。
【０１５８】
また、移動局装置２００が、ＡＣＫ／ＮＡＣＫを示す情報のペイロードサイズが何ビット以下の場合に（何ビットよりも大きい場合に）、ＡＣＫ／ＮＡＣＫを示す情報と第１の制御情報に対してＳＲＭＣを利用したコーディング方法を適用するのか（DRMCを利用したコーディング方法を適用するのか）は、例えば、仕様等によって事前に規定されても良い。
【０１５９】
また、移動局装置２００が、ＡＣＫ／ＮＡＣＫを示す情報のペイロードサイズと第１の制御情報のペイロードサイズの合計が何ビット以下の場合に（何ビットよりも大きい場合に）、ＡＣＫ／ＮＡＣＫを示す情報と第１の制御情報に対してＳＲＭＣを利用したコーディング方法を適用するのか（DRMCを利用したコーディング方法を適用するのか）は、例えば、ＡＣＫ／ＮＡＣＫを示す情報と第１の制御情報のコーディングに使用されるＲＭコードのベースシーケンスによって決定される。
【０１６０】
また、移動局装置２００が、ＡＣＫ／ＮＡＣＫを示す情報のペイロードサイズと第１の制御情報のペイロードサイズの合計が何ビット以下の場合に（何ビットよりも大きい場合に）、ＡＣＫ／ＮＡＣＫを示す情報と第１の制御情報に対してＳＲＭＣを利用したコーディング方法を適用するのか（DRMCを利用したコーディング方法を適用するのか）は、例えば、仕様等によって事前に規定されても良い。
【０１６１】
すなわち、移動局装置２００が、ＡＣＫ／ＮＡＣＫを示す情報（のみ）を送信する際に、ＤＲＭＣを利用したコーディング方法を適用するのか、ＳＲＭＣを利用したコーディング方法を適用するのか、を決定するためのペイロードサイズ（ACK/NACKを示す情報のペイロードサイズ）が、仕様等によって事前に規定される。
【０１６２】
さらに、移動局装置２００が、ＡＣＫ／ＮＡＣＫを示す情報と第１の制御情報をともに送信する際に、ＤＲＭＣを利用したコーディング方法を適用するのか、ＳＲＭＣを利用したコーディング方法を適用するのか、を決定するためのペイロードサイズ（ACK/NACKを示す情報のペイロードサイズ、または、ACK/NACKを示す情報のペイロードサイズと第1の制御情報のペイロードサイズの合計）が、仕様等によって事前に規定される。
【０１６３】
移動局装置２００は、あるサブフレームで送信する上りリンク制御情報の状況（ACK/NACKを示す情報（のみ）を送信するのか、ACK/NACKを示す情報と第1の制御情報をともに送信するのか）に応じて、仕様等によってそれぞれ（独立に）規定されたペイロードサイズで、ＤＲＭＣを利用したコーディング方法とＳＲＭＣを利用したコーディング方法を切り替える。
【０１６４】
すなわち、移動局装置２００は、あるサブフレームでＡＣＫ／ＮＡＣＫを示す情報（のみ）を送信する際には、ＡＣＫ／ＮＡＣＫを示す情報のペイロードサイズ（のみ）に応じて、ＤＲＭＣを利用したコーディング方法を適用するのか、ＳＲＭＣを利用したコーディング方法を適用するのかを決定し、あるサブフレームでＡＣＫ／ＮＡＣＫを示す情報と第１の制御情報をともに送信する際には、ＡＣＫ／ＮＡＣＫを示す情報のペイロードサイズと第１の制御情報のペイロードサイズの合計に応じて、ＤＲＭＣを利用したコーディング方法を適用するのか、ＳＲＭＣを利用したコーディング方法を適用するのかを決定することができる。
【０１６５】
ここで、基地局装置１００は、移動局装置２００が、あるサブフレームでＡＣＫ／ＮＡＣＫを示す情報（のみ）をコーディングする際に、ＤＲＭＣを利用したコーディング方法を適用するのか、ＳＲＭＣを利用したコーディング方法を適用するのかを決定するために、ＡＣＫ／ＮＡＣＫを示す情報のペイロードサイズ（ACK/NACKを示す情報のペイロードに関するパラメータ、情報でも良い）を、ＲＲＣシグナリングを使用して設定しても良い。
【０１６６】
また、基地局装置１００は、移動局装置２００が、あるサブフレームでＡＣＫ／ＮＡＣＫを示す情報と第１の制御情報をともにコーディングする際に、ＤＲＭＣを利用したコーディング方法を適用するのか、ＳＲＭＣを利用したコーディング方法を適用するのかを決定するために、ＡＣＫ／ＮＡＣＫを示す情報のペイロードサイズ（ACK/NACKを示す情報のペイロードに関するパラメータ、情報でも良い）を、ＲＲＣシグナリングを使用して設定しても良い。
【０１６７】
さらに、基地局装置１００は、移動局装置２００が、あるサブフレームでＡＣＫ／ＮＡＣＫを示す情報と第１の制御情報をともにコーディングする際に、ＤＲＭＣを利用したコーディング方法を適用するのか、ＳＲＭＣを利用したコーディング方法を適用するのかを決定するために、ＡＣＫ／ＮＡＣＫを示す情報のペイロードサイズと第１の制御情報のペイロードサイズの合計（ACK/NACKを示す情報のペイロードと第1の制御情報のペイロードサイズの合計に関するパラメータ、情報でも良い）を、ＲＲＣシグナリングを使用して設定しても良い。
【０１６８】
例えば、移動局装置２００は、図６に示したような１１ビットのビットシーケンスを入力可能なＲＭコードのベースシーケンスをＡＣＫ／ＮＡＣＫを示す情報と第１の制御情報のコーディングに使用する場合、ＡＣＫ／ＮＡＣＫを示す情報のペイロードサイズが１０ビット以下の場合には、ＡＣＫ／ＮＡＣＫを示す情報と第１の制御情報に対してＳＲＭＣを利用したコーディング方法を適用する。
【０１６９】
また、例えば、移動局装置２００は、図６に示したような１１ビットのビットシーケンスを入力可能なＲＭコードのベースシーケンスをＡＣＫ／ＮＡＣＫを示す情報と第１の制御情報のコーディングに使用する場合、ＡＣＫ／ＮＡＣＫを示す情報のペイロードサイズが１０ビットよりも大きい場合には、ＡＣＫ／ＮＡＣＫを示す情報と第１の制御情報に対してＤＲＭＣを利用したコーディング方法を適用する。
【０１７０】
また、例えば、移動局装置２００は、図６に示したような１１ビットのビットシーケンスを入力可能なＲＭコードのベースシーケンスをＡＣＫ／ＮＡＣＫを示す情報と第１の制御情報のコーディングに使用する場合、ＡＣＫ／ＮＡＣＫを示す情報のペイロードサイズと第１の制御情報のペイロードサイズの合計が１１ビット以下の場合には、ＡＣＫ／ＮＡＣＫを示す情報と第１の制御情報に対してＳＲＭＣを利用したコーディング方法を適用しても良い。
【０１７１】
また、例えば、移動局装置２００は、図６に示したような１１ビットのビットシーケンスを入力可能なＲＭコードのベースシーケンスをＡＣＫ／ＮＡＣＫを示す情報と第１の制御情報のコーディングに使用する場合、ＡＣＫ／ＮＡＣＫを示す情報のペイロードサイズと第１の制御情報のペイロードサイズの合計が１１ビットよりも大きい場合には、ＡＣＫ／ＮＡＣＫを示す情報と第１の制御情報に対してＤＲＭＣを利用したコーディング方法を適用しても良い。
【０１７２】
すなわち、移動局装置２００は、Ｎビットのビットシーケンスを入力可能なＲＭコードのベースシーケンスをＡＣＫ／ＮＡＣＫを示す情報と第１の制御情報のコーディングに使用する場合、ＡＣＫ／ＮＡＣＫを示す情報に対するビットシーケンスが（Ｎ−１）ビット以下の場合には、ＡＣＫ／ＮＡＣＫを示す情報と第１の制御情報に対してＳＲＭＣを利用したコーディング方法を適用する。
【０１７３】
また、移動局装置２００は、Ｎビットのビットシーケンスを入力可能なＲＭコードのベースシーケンスをＡＣＫ／ＮＡＣＫを示す情報と第１の制御情報のコーディングのコーディングに使用する場合、ＡＣＫ／ＮＡＣＫを示す情報に対するビットシーケンスが（Ｎ−１）ビットよりも大きい場合には、ＡＣＫ／ＮＡＣＫを示す情報と第１の制御情報に対してＤＲＭＣを利用したコーディング方法を適用する。
【０１７４】
また、移動局装置２００は、Ｎビットのビットシーケンスを入力可能なＲＭコードのベースシーケンスをＡＣＫ／ＮＡＣＫを示す情報と第１の制御情報のコーディングに使用する場合、ＡＣＫ／ＮＡＣＫを示す情報に対するビットシーケンスと第１の制御情報に対するビットシーケンスの合計がＮビット以下の場合には、ＡＣＫ／ＮＡＣＫを示す情報と第１の制御情報に対してＳＲＭＣを利用したコーディング方法を適用しても良い。
【０１７５】
また、移動局装置２００は、Ｎビットのビットシーケンスを入力可能なＲＭコードのベースシーケンスをＡＣＫ／ＮＡＣＫを示す情報と第１の制御情報のコーディングに使用する場合、ＡＣＫ／ＮＡＣＫを示す情報に対するビットシーケンスと第１の制御情報に対するビットシーケンスの合計がＮビットよりも大きい場合には、ＡＣＫ／ＮＡＣＫを示す情報と第１の制御情報に対してＤＲＭＣを利用したコーディング方法を適用しても良い。
【０１７６】
上記で示したように、移動局装置２００は、基地局装置１００によって設定された、サービングセル（サービングセルの数）と各サービングセルにおける下りリンク送信モードによって、基地局装置１００へ送信するＡＣＫ／ＮＡＣＫを示す情報のビット数（ペイロードサイズ、情報量、ビットシーケンスの長さとも言える）を決定することができる。また、移動局装置２００は、基地局装置１００によって設定された下りリンクサブフレームと上りリンクサブフレームの対応（TDD configuration）によって、基地局装置１００へ送信するＡＣＫ／ＮＡＣＫを示す情報のビット数（ペイロードサイズ、情報量、ビットシーケンスの長さとも言える）を決定することができる。すなわち、移動局装置２００は、ある上りリンクサブフレームで送信されるＡＣＫ／ＮＡＣＫを示す情報に対応する下りリンクサブフレームの数に従って、ＡＣＫ／ＮＡＣＫを示す情報のビット数を決定することができる。
【０１７７】
以下、基本的には、基地局装置によって送信される１つのトランスポートブロックに対するＡＣＫ／ＮＡＣＫを示す情報（1つのコードワードに対応するＡＣＫ／ＮＡＣＫを示す情報）を１ビットで表すこととする。また、第１の制御情報を１ビットで表すこととする。
【０１７８】
すなわち、基地局装置１００によって、ある１つのサービングセルにおいてＭＩＭＯを適用したＰＤＳＣＨの送信（2つまでのトランスポートブロックの送信）が行われる下りリンク送信モードが設定された場合、ＡＣＫ／ＮＡＣＫを示す情報は２ビットで表される。また、基地局装置１００と移動局装置２００は、ＴＤＤを利用して、４サブフレーム全てで、設定した全てのサービングセルにおいてトランスポートブロックを送受信することとする。さらに、移動局装置２００は、ACK/NACKを示す情報および／または第1の制御情報をコーディングする際に、図６に示したような１１ビットのビットシーケンスを入力可能なＲＭコードのベースシーケンスを使用することとする。
【０１７９】
すなわち、上記で示したように、例えば、移動局装置２００は、ＡＣＫ／ＮＡＣＫを示す情報をコーディングする際に、ＡＣＫ／ＮＡＣＫを示す情報のペイロードサイズが１０ビット以下の場合には、ＡＣＫ／ＮＡＣＫを示す情報に対してＳＲＭＣを利用したコーディング方法を適用する。また、移動局装置２００は、ＡＣＫ／ＮＡＣＫを示す情報のペイロードサイズが１０ビットよりも大きい場合には、ＡＣＫ／ＮＡＣＫを示す情報に対してＤＲＭＣを利用したコーディング方法を適用する。
【０１８０】
また、上記で示したように、例えば、移動局装置２００は、ＡＣＫ／ＮＡＣＫを示す情報と第１の制御情報をともにコーディングする際に、ＡＣＫ／ＮＡＣＫを示す情報のペイロードサイズと第１の制御情報のペイロードサイズの合計が１１ビット以下の場合には、ＡＣＫ／ＮＡＣＫを示す情報と第１の制御情報に対してＳＲＭＣを利用したコーディング方法を適用する。また、移動局装置２００は、ＡＣＫ／ＮＡＣＫを示す情報のペイロードサイズと第１の制御情報のペイロードサイズの合計が１１ビットよりも大きい場合には、ＡＣＫ／ＮＡＣＫを示す情報に対してＤＲＭＣを利用したコーディング方法を適用する。
【０１８１】
例えば、基地局装置１００によって、２つのサービングセルが設定され、各サービングセルに対する下りリンク送信モードとしてシングルアンテナポートモードを使用したＰＤＳＣＨの送信（1つのトランスポートブロックの送信）が設定された場合、移動局装置２００は、８ビット（2×1×4）のＡＣＫ／ＮＡＣＫを示す情報を基地局装置１００へ送信する。
【０１８２】
すなわち、この設定において、移動局装置２００は、ＡＣＫ／ＮＡＣＫを示す情報をコーディングする際には、ＡＣＫ／ＮＡＣＫを示す情報に対してＳＲＭＣを利用したコーディング方法を適用する。また、この設定において、移動局装置２００は、ＡＣＫ／ＮＡＣＫを示す情報と第１の制御情報をともにコーディングする際には、ＡＣＫ／ＮＡＣＫを示す情報と第１の制御情報に対してＳＲＭＣを利用したコーディング方法を適用する。すなわち、移動局装置２００は、８ビットのＡＣＫ／ＮＡＣＫを示す情報と１ビットの第１の制御情報を、ＳＲＭＣを利用してコーディングし、基地局装置１００へ送信する。
【０１８３】
また、例えば、基地局装置１００によって、２つのサービングセルが設定され、各サービングセルに対する下りリンク送信モードとしてマルチアンテナポートモードを使用したＰＤＳＣＨの送信（2つまでのトランスポートブロックの送信）が設定された場合、移動局装置２００は、１６ビット（2×2×4）のＡＣＫ／ＮＡＣＫを示す情報を送信する。
【０１８４】
すなわち、この設定において、移動局装置２００は、ＡＣＫ／ＮＡＣＫを示す情報をコーディングする際には、ＡＣＫ／ＮＡＣＫを示す情報に対してＤＲＭＣを利用したコーディング方法を適用する。また、この設定において、移動局装置２００は、ＡＣＫ／ＮＡＣＫを示す情報と第１の制御情報をともにコーディングする際には、ＡＣＫ／ＮＡＣＫを示す情報と第１の制御情報に対してＤＲＭＣを利用したコーディング方法を適用する。すなわち、移動局装置２００は、１６ビットのＡＣＫ／ＮＡＣＫを示す情報と１ビットの第１の制御情報を、ＤＲＭＣを利用してコーディングし、基地局装置１００へ送信する。
【０１８５】
また、例えば、基地局装置１００によって、３つのサービングセルが設定され、各サービングセルに対する下りリンク送信モードとしてマルチアンテナポートモードを使用したＰＤＳＣＨの送信（2つまでのトランスポートブロックの送信）が設定された場合、移動局装置２００は、２４ビット（3×2×4）のＡＣＫ／ＮＡＣＫを示す情報を、spatial bundlingを利用して、１２ビット（3×（2/2）×4）のＡＣＫ／ＮＡＣＫを示す情報に圧縮する。上記で示したように、移動局装置２００は、ＡＣＫ／ＮＡＣＫを示す情報のビット数がある所定の値（例えば、20ビット）を超えている場合には、spatial bundlingを利用して、ＡＣＫ／ＮＡＣＫを示す情報のビット数を圧縮することができる。移動局装置２００は、圧縮された１２ビットのＡＣＫ／ＮＡＣＫを示す情報を基地局装置１００へ送信する。
【０１８６】
すなわち、この設定において、移動局装置２００は、ＡＣＫ／ＮＡＣＫを示す情報をコーディングする際には、ＡＣＫ／ＮＡＣＫを示す情報に対してＤＲＭＣを利用したコーディング方法を適用する。すなわち、移動局装置２００は、spatial bundlingを利用することによって圧縮された１２ビットのＡＣＫ／ＮＡＣＫを示す情報を、ＤＲＭＣを利用してコーディングし、基地局装置１００へ送信する。
【０１８７】
また、この設定において、移動局装置２００は、ＡＣＫ／ＮＡＣＫを示す情報と第１の制御情報とともにコーディングする際には、ＡＣＫ／ＮＡＣＫを示す情報と第１の制御情報に対してＤＲＭＣを利用したコーディング方法を適用する。すなわち、移動局装置２００は、spatial bundlingを利用することによって圧縮された１２ビットのＡＣＫ／ＮＡＣＫを示す情報と１ビットの第１の制御情報を、ＤＲＭＣを利用してコーディングし、基地局装置１００へ送信する。
【０１８８】
すなわち、移動局装置２００は、ＡＣＫ／ＮＡＣＫを示す情報をコーディングする際に、ＳＲＭＣを利用したコーディング方法を適用するのか、ＤＲＭＣを利用したコーディング方法を適用するのかを、spatial bundlingを利用することによって圧縮されたＡＣＫ／ＮＡＣＫを示す情報のペイロードサイズに応じて決定することができる（spatial bundling後のACK/NACKを示す情報のペイロードサイズのみに応じて決定することができる）。
【０１８９】
また、移動局装置２００は、ＡＣＫ／ＮＡＣＫを示す情報と第１の制御情報をコーディングする際に、ＳＲＭＣを利用したコーディング方法を適用するのか、ＤＲＭＣを利用したコーディング方法を適用するのかを、spatial bundlingを利用することによって圧縮されたＡＣＫ／ＮＡＣＫを示す情報のペイロードサイズに応じて決定することができる（spatial bundling後のACK/NACKを示す情報のペイロードサイズのみに応じて決定することができる）。
【０１９０】
また、移動局装置２００は、ＡＣＫ／ＮＡＣＫを示す情報と第１の制御情報をコーディングする際に、ＳＲＭＣを利用したコーディング方法を適用するのか、ＤＲＭＣを利用したコーディング方法を適用するのかを、spatial bundlingを利用することによって圧縮されたＡＣＫ／ＮＡＣＫを示す情報のペイロードサイズと第１の制御情報のペイロードサイズの合計に応じて決定することができる（spatial bundling後のACK/NACKを示す情報のペイロードサイズと第1の制御情報のペイロードサイズの合計に応じて決定することができる）。
【０１９１】
また、移動局装置２００は、ＡＣＫ／ＮＡＣＫを示す情報をコーディングする際に、ＳＲＭＣを利用したコーディング方法を適用するのか、ＤＲＭＣを利用したコーディング方法を適用するのかを、基地局装置１００によって設定されたサービングセル（サービングセルの数）と各サービングセルにおける下りリンク送信モードに応じて決定することができる。
【０１９２】
また、移動局装置２００は、ＡＣＫ／ＮＡＣＫを示す情報と第１の制御情報をコーディングする際に、ＳＲＭＣを利用したコーディング方法を適用するのか、ＤＲＭＣを利用したコーディング方法を適用するのかを、基地局装置１００によって設定されたサービングセル（サービングセルの数）と各サービングセルにおける下りリンク送信モードに応じて決定することができる。
【０１９３】
また、移動局装置２００は、ＡＣＫ／ＮＡＣＫを示す情報と第１の制御情報をコーディングする際に、ＳＲＭＣを利用したコーディング方法を適用するのか、ＤＲＭＣを利用したコーディング方法を適用するのかを、基地局装置１００によって設定された下りリンクサブフレームと上りリンクサブフレームの対応（TDD configuration）に応じて決定することができる。すなわち、移動局装置２００は、ＡＣＫ／ＮＡＣＫを示す情報と第１の制御情報をコーディングする際に、ＳＲＭＣを利用したコーディング方法を適用するのか、ＤＲＭＣを利用したコーディング方法を適用するのかを、ある上りリンクサブフレームで送信されるＡＣＫ／ＮＡＣＫを示す情報に対応する下りリンクサブフレームの数に応じて決定することができる。
【０１９４】
ここで、ＡＣＫ／ＮＡＣＫを示す情報の送信と第１の制御情報の送信が同一サブフレームで生じた移動局装置２００は、ＳＲＭＣを利用したコーディング方法を適用する際に、ビットシーケンスqACK(0)iを生成するために、例えば、下記の算出式（４）を使用することができる。
【０１９５】
【数４】
0005821069.tif 000005
【０１９６】
ここで、算出式（４）において、第１の制御情報はＵＣＩとして示される。すなわち、例えば、移動局装置２００が、ＡＣＫ／ＮＡＣＫを示す情報と第１の制御情報に対してＳＲＭＣを利用したコーディング方法を適用する場合、第１の制御情報に対するビットシーケンスは、ＡＣＫ／ＮＡＣＫを示す情報に対するビットシーケンスの最後に（最後部に）連結される。すなわち、移動局装置２００は、ＡＣＫ／ＮＡＣＫを示す情報のビットと第１の制御情報のビットを連結することによって得られたビットシーケンスをコーディングする。ここで、上記に示した通り、例えば、移動局装置２００は、ＡＣＫ／ＮＡＣＫを示す情報（のみ）を送信する際には、ビットシーケンスqACK(0)iを生成するために算出式（１）を使用する。
【０１９７】
同様に、ＡＣＫ／ＮＡＣＫを示す情報の送信と第１の制御情報の送信が同一サブフレームで生じた移動局装置２００は、ＤＲＭＣを利用したコーディング方法を適用する際に、ビットシーケンスqACK(0)i、qACK(1)iそれぞれを生成するために、例えば、下記の算出式（５）、（６）を使用することができる。
【０１９８】
【数５】
0005821069.tif 000006
【０１９９】
【数６】
0005821069.tif 000007
【０２００】
ここで、算出式（５）、（６）において、第１の制御情報はＵＣＩとして示される。すなわち、例えば、移動局装置２００が、ＡＣＫ／ＮＡＣＫを示す情報と第１の制御情報に対してＤＲＭＣを利用したコーディング方法を適用する場合、第１の制御情報に対するビットシーケンスは、ＡＣＫ／ＮＡＣＫを示す情報に対するビットシーケンスの最後に（最後部に）連結される。また、第１の制御情報に対するビットシーケンスは、２つのリードマラーコードの１つ（片方）のみに入力される。例えば、第１の制御情報に対するビットシーケンスは、ＡＣＫ／ＮＡＣＫを示す情報に対するビットシーケンスが短い方のビットシーケンス（ＡＣＫ／ＮＡＣＫを示す情報のペイロードサイズが小さい方のペイロード）に連結される。すなわち、移動局装置２００は、ＡＣＫ／ＮＡＣＫを示す情報のビットと第１の制御情報のビットを連結してビットシーケンスを生成し、生成されたビットシーケンスを分割することによって得られたビットシーケンスのそれぞれを別々にコーディングする。ここで、上記に示した通り、例えば、移動局装置２００は、ＡＣＫ／ＮＡＣＫを示す情報（のみ）を送信する際には、ビットシーケンスqACK(0)i、qACK(1)iそれぞれを生成するために算出式（２）、（３）を使用する。
【０２０１】
上記までに示した通り、移動局装置２００が、ＡＣＫ／ＮＡＣＫを示す情報および／または第１の制御情報をコーディングする際にＤＲＭＣを利用したコーディング方法を適用するのか、ＳＲＭＣを利用したコーディング方法を適用するのかを決定するために、ＡＣＫ／ＮＡＣＫを示す情報とＡＣＫ／ＮＡＣＫを示す情報と第１の制御情報それぞれに対して、それぞれ（独立に）ペイロードサイズを規定することによって、移動局装置２００によるＳＲＭＣを利用したコーディング方法とＤＲＭＣを利用したコーディング方法を効率的に切り替えることができる。
【０２０２】
また、上記までに示した通り、移動局装置２００が、ＡＣＫ／ＮＡＣＫを示す情報および／または第１の制御情報をコーディングする際に、ｓｐａｔｉａｌ  ｂｕｎｄｌｉｎｇが適用された後のＡＣＫ／ＮＡＣＫを示す情報のペイロードサイズを使用することによって、ｓｐａｔｉａｌ  ｂｕｎｄｌｉｎｇによるビット数の圧縮とコーディング方法（SRMCを利用したコーディング方法またはDRMCを利用したコーディング方法）とを適切に組み合わせることが可能となる。
【０２０３】
移動局装置２００は、ＡＣＫ／ＮＡＣＫを示す情報（のみ）を基地局装置１００へ送信する際には、規定されたＡＣＫ／ＮＡＣＫを示す情報のペイロードサイズに応じて、ＳＲＭＣを利用したコーディング方法とＤＲＭＣを利用したコーディング方法を切り替えることができる。
【０２０４】
また、移動局装置２００は、ＡＣＫ／ＮＡＣＫを示す情報と第１の制御情報をともに基地局装置１００へ送信する際には、規定されたＡＣＫ／ＮＡＣＫを示す情報のペイロードサイズに応じて、ＳＲＭＣを利用したコーディング方法とＤＲＭＣを利用したコーディング方法を切り替えることができる。
【０２０５】
また、移動局装置２００は、ＡＣＫ／ＮＡＣＫを示す情報と第１の制御情報をともに基地局装置１００へ送信する際には、規定されたＡＣＫ／ＮＡＣＫを示す情報のペイロードサイズと第１の制御情報のペイロードサイズの合計に応じて、ＳＲＭＣを利用したコーディング方法とＤＲＭＣを利用したコーディング方法を切り替えることができる。
【０２０６】
本実施形態では、主に、移動局装置２００が、１１ビットのビットシーケンスを入力可能なＲＭコードのベースシーケンスを使用して、上りリンク制御情報（ACK/NACKを示す情報、スケジューリングリクエスト、チャネル状態情報）をコーディングすることを記載した。しかしながら、移動局装置２００が、何ビットを入力可能なＲＭコードのベースシーケンスを使用したとしても、同様の実施形態が適用可能なことは勿論である。
【０２０７】
（Ａ）また、本発明は、次のような形態を採ることも可能である。すなわち、本発明の移動局装置は、複数のサービングセルにおいて基地局装置と通信する移動局装置であって、ある上りリンクサブフレームで送信されるＨＡＲＱに関する情報に対応する下りリンクサブフレームの数と、設定されたサービングセルの数と、各サービングセルにおいて設定された送信モードとに従って、前記ＨＡＲＱに関する情報のビット数を決定する手段と、前記決定したＨＡＲＱに関する情報のビット数が所定の値を超えている場合には、前記ＨＡＲＱに関する情報に空間的なバンドリングを適用する手段と、前記空間的なバンドリングが適用されたＨＡＲＱに関する情報のビット数とスケジューリングリクエストのビット数とに基づいて、第１のコーディング方法または第２のコーディング方法のいずれかを選択し、前記ＨＡＲＱに関する情報と前記スケジューリングリクエストとを共にコーディングする手段と、を備えることを特徴としている。
【０２０８】
（Ｂ）また、複数のサービングセルにおいて基地局装置と通信する移動局装置の処理方法であって、ある上りリンクサブフレームで送信されるＨＡＲＱに関する情報に対応する下りリンクサブフレームの数と、設定されたサービングセルの数と、各サービングセルにおいて設定された送信モードとに従って、前記ＨＡＲＱに関する情報のビット数を決定し、前記決定したＨＡＲＱに関する情報のビット数が所定の値を超えている場合には、前記ＨＡＲＱに関する情報に空間的なバンドリングを適用し、前記空間的なバンドリングが適用されたＨＡＲＱに関する情報のビット数とスケジューリングリクエストのビット数とに基づいて、第１のコーディング方法または第２のコーディング方法のいずれかを選択し、前記ＨＡＲＱに関する情報と前記スケジューリングリクエストとを共にコーディングすることを特徴としている。
【０２０９】
（Ｃ）また、複数のサービングセルにおいて基地局装置と通信する移動局装置に搭載される集積回路であって、ある上りリンクサブフレームで送信されるＨＡＲＱに関する情報に対応する下りリンクサブフレームの数と、設定されたサービングセルの数と、各サービングセルにおいて設定された送信モードとに従って、前記ＨＡＲＱに関する情報のビット数を決定する機能と、前記決定したＨＡＲＱに関する情報のビット数が所定の値を超えている場合には、前記ＨＡＲＱに関する情報に空間的なバンドリングを適用する機能と、前記空間的なバンドリングが適用されたＨＡＲＱに関する情報のビット数とスケジューリングリクエストのビット数とに基づいて、第１のコーディング方法または第２のコーディング方法のいずれかを選択し、前記ＨＡＲＱに関する情報と前記スケジューリングリクエストとを共にコーディングする機能と、を含むことを特徴としている。
【０２１０】
以上説明した実施形態は、基地局装置１００および移動局装置２００に搭載される集積回路にも適用される。また、以上説明した実施形態において、基地局装置１００内の各機能や、移動局装置２００内の各機能を実現するためのプログラムをコンピュータ読み取り可能な記録媒体に記録して、この記録媒体に記録されたプログラムをコンピュータシステムに読み込ませ、実行することにより基地局装置１００や移動局装置２００の制御を行なっても良い。なお、ここでいう「コンピュータシステム」とは、ＯＳや周辺機器等のハードウェアを含むものとする。
【０２１１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０２１２】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０２１３】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００、２００−１〜２００−３  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
0005821069.tif 000008
【図２】
0005821069.tif 000009
【図３】
0005821069.tif 000010
【図４】
0005821069.tif 000011
【図５Ａ】
0005821069.tif 000012
【図５Ｂ】
0005821069.tif 000013
【図６】
0005821069.tif 000014
【図７Ａ】
0005821069.tif 000015
【図７Ｂ】
0005821069.tif 000016
【図８】
0005821069.tif 000017